(57)【要約】【課題】制限された応答時間内でフレームスキャン遅延時間を減らすことのできる表示装置の駆動方法を提供する。【解決手段】ｎ個（ここで、ｎは２より大きい自然数）のピクセルラインを含むピクセルライングループに該当する液晶セルの電圧をｎ個のピクセルラインの内の１つのピクセルラインのピクセルデータで同時に充電する予備フレーム充電段階と、前記ｎ個のピクセルラインを含むピクセルライングループのうち、自身のピクセルデータで充電されたピクセルラインの液晶セルは電圧を維持し、自身のピクセルデータで充電されなかったピクセルラインの液晶セルは電圧を維持するピクセルラインを除いたピクセルライングループのうちから選択された１つのピクセルラインのピクセルデータで同時に充電するメインフレーム充電段階とを有する。【選択図】      図８
2013222206.tif 000002
【特許請求の範囲】
【請求項１】
ｎ個（ここで、ｎは２より大きい自然数）のピクセルラインを含むピクセルライングループに該当する液晶セルの電圧をｎ個のピクセルラインの内の１つのピクセルラインのピクセルデータで同時に充電する予備フレーム充電段階と、
前記ｎ個のピクセルラインを含むピクセルライングループのうち、自身のピクセルデータで充電されたピクセルラインの液晶セルは電圧を維持し、自身のピクセルデータで充電されなかったピクセルラインの液晶セルは電圧を維持するピクセルラインを除いたピクセルライングループのうちから選択された１つのピクセルラインのピクセルデータで同時に充電するメインフレーム充電段階とを有することを特徴とする表示装置の駆動方法。
【請求項２】
前記メインフレーム充電段階は、１フレーム当たり全部で（ｎ−１）回繰り返されることを特徴とする請求項１に記載の表示装置の駆動方法。
【請求項３】
前記予備フレーム充電段階及び前記メインフレーム充電段階は、それぞれ少なくとも前記液晶セルの標準充電時間の１／ｎ以下の時間の間、実行されることを特徴とする請求項２に記載の表示装置の駆動方法。
【請求項４】
前記予備フレーム充電段階及び前記メインフレーム充電段階において、
画面上の第１番目のピクセルラインの充電開始時間と画面上の最後のピクセルラインの充電開始時間との差は、前記液晶セルの標準充電時間の半分であることを特徴とする請求項１に記載の表示装置の駆動方法。
【請求項５】
前記予備フレーム充電段階及び前記メインフレーム充電段階は、前記液晶セルの標準充電時間の間、実行されることを特徴とする請求項１に記載の表示装置の駆動方法。
【請求項６】
バックライトユニットが前記ピクセルラインに対応する領域別に駆動される時、
バックライトユニットは、前記予備フレーム充電段階が始まる時間から前記液晶セルの標準充電時間の半分が過ぎた時点以後に光供給を開始するようターンオンし、前記メインフレーム充電段階が終了する時間以内に光供給を中断するようターンオフすることを特徴とする請求項５に記載の表示装置の駆動方法。
【請求項７】
前記バックライトユニットは、前記ピクセルライン全体に同時的にターンオンする時、
前記バックライトユニットは、前記ピクセルラインのうち、第１番目のピクセルラインの予備フレーム充電段階が完了する時点以後に光供給を開始するようターンオンし、前記第１番目のピクセルラインのメインフレーム充電段階が完了する時点以前に光供給を中断するようターンオフすることを特徴とする請求項５に記載の表示装置の駆動方法。
【請求項８】
前記予備フレーム充電段階及び前記メインフレーム充電段階は、それぞれ前記液晶セルの標準充電時間の半分の間、実行されることを特徴とする請求項１に記載の表示装置の駆動方法。
【請求項９】
全てのピクセルラインの液晶セルの電圧を維持するフレーム維持段階をさらに有することを特徴とする請求項８に記載の表示装置の駆動方法。
【請求項１０】
前記フレーム維持段階は、前記液晶セルの標準充電時間の間、実行されることを特徴とする請求項９に記載の表示装置の駆動方法。
【請求項１１】
全てのピクセルラインの液晶セルをブラック画像に対応する電圧で充電するブラック画像段階をさらに有することを特徴とする請求項９に記載の表示装置の駆動方法。
【請求項１２】
前記フレーム維持段階及びブラック画像段階は、それぞれ液晶セルの標準充電時間の半分の間、実行されることを特徴とする請求項１１に記載の表示装置の駆動方法。
【請求項１３】
前記ブラック画像段階の持続時間は、画面上の第１番目のピクセルラインでの前記ブラック画像段階の持続時間から徐々に増加して、画面上の最後のピクセルラインでの前記ブラック画像段階の持続時間は最大となることを特徴とする請求項１１に記載の表示装置の駆動方法。
【請求項１４】
前記予備フレーム充電段階及びメインフレーム充電段階以後に、
前記ｎ個のピクセルラインを含むピクセルライングループに該当する液晶セルの電圧をｎ個のピクセルラインの内の前記予備フレーム充電段階から選択されたピクセルラインを除いた残りのピクセルラインの内の１つのピクセルラインのピクセルデータで同時に充電する逆転予備フレーム充電段階と、
前記ｎ個のピクセルラインを含むピクセルライングループのうち、自身のピクセルデータで充電されたピクセルラインの液晶セルは電圧を維持し、自身のピクセルデータで充電されなかったピクセルラインの液晶セルは電圧を維持するピクセルラインを除いたグループのうちから選択された１つのピクセルラインのピクセルデータで同時に充電する逆転メインフレーム充電段階とをさらに有することを特徴とする請求項１に記載の表示装置の駆動方法。
【請求項１５】
複数個の画像を交互に画面に表示する場合、
各画像を前記予備フレーム充電段階及びメインフレーム充電段階を利用して画面に表示することを特徴とする請求項１に記載の表示装置の駆動方法。
【請求項１６】
左眼用画像と右眼用画像を交互に画面に表示する場合、
前記左眼用画像及び右眼用画像をそれぞれ前記予備フレーム充電段階及びメインフレーム充電段階を利用して画面に表示することを特徴とする請求項１４に記載の表示装置の駆動方法。
【請求項１７】
全てのピクセルラインの液晶セルの電圧を維持するフレーム維持段階をさらに有することを特徴とする請求項１に記載の表示装置の駆動方法。
【請求項１８】
前記予備フレーム充電段階、前記メインフレーム充電段階、及び前記フレーム維持段階の実行時間の総合計は、前記液晶セルの標準充電時間と同一であることを特徴とする請求項１７に記載の表示装置の駆動方法。
【請求項１９】
前記予備フレーム充電段階は、
第（３Ｎ−２）番目ピクセルライン（Ｎは自然数）、第（３Ｎ−１）番目ピクセルライン及び第３Ｎ番目ピクセルラインの内の第１代表ピクセルラインのピクセルデータで前記第（３Ｎ−２）番目ピクセルライン、第（３Ｎ−１）番目ピクセルライン及び第３Ｎ番目ピクセルラインに該当する液晶セルの電圧を同時に充電する第１予備フレーム充電段階と、
前記第１代表ピクセルラインに該当する液晶セルの電圧は維持し、第（３Ｎ−２）番目ピクセルライン、第（３Ｎ−１）番目ピクセルライン及び第３Ｎ番目ピクセルラインで前記第１代表ピクセルラインを除いたピクセルラインのうちから第２代表ピクセルラインを選別して、前記第２代表ピクセルラインのピクセルデータで残り２つのピクセルラインに該当する液晶セルの電圧を同時に充電する第２予備フレーム充電段階と、を含むことを特徴とする請求項１７に記載の表示装置の駆動方法。
【請求項２０】
前記第１及び第２予備フレーム充電段階、メインフレーム充電段階及びフレーム維持段階において、
画面上の第１番目のピクセルラインの充電時間と画面上の最後のピクセルラインのフレームの充電時間との差、又は第１番目のピクセルラインの維持開始時間と画面上の最後のピクセルラインのフレームの維持開始時間との差は、前記液晶セルの標準充電時間の１／４であることを特徴とする請求項１９に記載の表示装置の駆動方法。
【請求項２１】
前記予備フレーム充電段階、メインフレーム充電段階、及びフレーム維持段階において、
画面上の第１番目のピクセルラインの充電時間と画面上の最後のピクセルラインのフレームの充電時間との差、又は第１番目のピクセルラインの維持開始時間と画面上の最後のピクセルラインのフレームの維持開始時間との差は、前記液晶セルの標準充電時間の１／４であることを特徴とする請求項１７に記載の表示装置の駆動方法。
【請求項２２】
ｎ個のピクセルラインを含むピクセルライングループに該当する液晶セルの電圧を前記ｎ個のピクセルラインの内の１つのピクセルラインのピクセルデータで同時に充電する予備フレーム充電段階と、
前記ｎ個のピクセルラインを含むピクセルライングループのうち、自身のピクセルデータで充電されたピクセルラインの液晶セルは電圧を維持し、自身のピクセルデータで充電されなかったピクセルラインの液晶セルは電圧を維持するピクセルラインを除いたピクセルライングループのうちから選択された１つのピクセルラインのピクセルデータで同時に充電するメインフレーム充電段階と、
全てのピクセルラインの液晶セルの電圧を維持するフレーム維持段階と、
全てのピクセルラインの液晶セルをブラック画像に対応する電圧で充電するブラック画像段階とを有し、
前記予備フレーム充電段階及び前記メインフレーム充電段階は、それぞれ前記液晶セルの標準充電時間の半分の間、実行され、
前記ブラック画像段階は、画面上の第１番目のピクセルラインでの前記ブラック画像段階の持続時間が画面上の最後のピクセルラインでの前記ブラック画像段階の持続時間より短いことを特徴とする表示装置の駆動方法。
【請求項２３】
ｎ個（ここで、ｎは２より大きい自然数）のピクセルラインを含むピクセルライングループのうちから選択された１つのピクセルラインには該当するピクセルデータで充電し、他のピクセルラインの液晶セルは電圧を維持するフレーム充電−維持段階と、
全てのピクセルラインの液晶セルの電圧を維持するフレーム維持段階とを有することを特徴とする表示装置の駆動方法。
【請求項２４】
前記フレーム充電−維持段階は、１フレーム当たり全部ｎ回繰り返されることを特徴とする請求項２３に記載の表示装置の駆動方法。
【請求項２５】
前記フレーム充電−維持段階において、前記他のピクセルラインの液晶セルのうち、充電された液晶セルは電圧を維持し、前記他のピクセルラインの液晶セルのうち、充電されなかった液晶セルはブラック画像に対応する電圧で充電されることを特徴とする請求項２３に記載の表示装置の駆動方法。
【発明の詳細な説明】
【技術分野】
【０００１】
本発明は表示装置の駆動方法に関し、より詳しくは、フレームスキャン遅延時間を減らす表示装置の駆動方法に関する。
【背景技術】
【０００２】
液晶表示装置は、電界によって光の透過率が異なる液晶の特性を利用してイメージを表示する。
従って、液晶表示装置は画像を表示する表示パネル及び表示パネルに光を供給するバックライトを含む。表示パネルには各ピクセルに該当する数多くの液晶セルを含む。それぞれの液晶セルはイメージに該当する電界によって該当セルの透過度を形成し、バックライトから供給される光を各該当セルの透過度に従って透過してイメージを表示する。
【０００３】
この際、各液晶セルがイメージに該当する透過率を有するためには各液晶セルに該当する電圧を形成する。
各液晶セルに電圧を印加して所望する透過度を有するように液晶の配列が形成されるまでは一定の時間が必要とされる。このように液晶が所望する形態の配列を有するまでの所要時間を一般的に充電時間という。
液晶に電圧を印加して所望する形態の配列を有するには液晶の充電時間が必要とされるので、液晶に電界を加えて、一定時間が所要された以後にバックライトを介して液晶セルに光を供給する。従って、液晶セルに電界を加えた時点で液晶の充電時間を確保した以後にバックライトから光を供給して液晶にイメージを表示する。
【０００４】
しかしながら、従来の表示装置の駆動方法では、複数個のピクセルラインを有する１つのイメージを表示する場合において、最初のピクセルラインの充電開始時間から最後のピクセルラインの充電開始時間までかかる時間は、通常、液晶の標準充電時間が必要とされる。
従って、１つのイメージを全部表示することに準備される時間が液晶の標準充電時間ほど必要とされ、このような場合には非常に制限された時間内のみバックライトから光を供給するので、画面の全体的な輝度が落ちるという問題がある。
【０００５】
また、画面の画像を３次元画像で表示する場合に、左眼用画像と右眼用画像を交互に画面に表示することになるが、１フレームに該当するイメージの表示にかかる遅延時間が長い場合には画面の垂直解像度を半分に減らしながら画像を表示しなければならないという問題が発生する。
【発明の概要】
【発明が解決しようとする課題】
【０００６】
本発明は上記従来の表示装置の駆動方法の問題点に鑑みてなされたものであって、本発明の目的は、制限された応答時間内でフレームスキャン遅延時間を減らすことのできる表示装置の駆動方法を提供することにある。
【課題を解決するための手段】
【０００７】
上記目的を達成するためになされた本発明に係る表示装置の駆動方法は、ｎ個（ここで、ｎは２より大きい自然数）のピクセルラインを含むピクセルライングループに該当する液晶セルの電圧をｎ個のピクセルラインの内の１つのピクセルラインのピクセルデータで同時に充電する予備フレーム充電段階と、前記ｎ個のピクセルラインを含むピクセルライングループのうち、自身のピクセルデータで充電されたピクセルラインの液晶セルは電圧を維持し、自身のピクセルデータで充電されなかったピクセルラインの液晶セルは電圧を維持するピクセルラインを除いたピクセルライングループのうちから選択された１つのピクセルラインのピクセルデータで同時に充電するメインフレーム充電段階とを有することを特徴とする。
【０００８】
前記メインフレーム充電段階は、１フレーム当たり全部で（ｎ−１）回繰り返されることが好ましい。
前記予備フレーム充電段階及び前記メインフレーム充電段階は、それぞれ少なくとも前記液晶セルの標準充電時間の１／ｎ以下の時間の間、実行されることが好ましい。
前記予備フレーム充電段階及び前記メインフレーム充電段階において、画面上の第１番目のピクセルラインの充電開始時間と画面上の最後のピクセルラインの充電開始時間との差は、前記液晶セルの標準充電時間の半分であることが好ましい。
前記予備フレーム充電段階及び前記メインフレーム充電段階は、前記液晶セルの標準充電時間の間、実行されることが好ましい。
バックライトユニットが前記ピクセルラインに対応する領域別に駆動される時、バックライトユニットは、前記予備フレーム充電段階が始まる時間から前記液晶セルの標準充電時間の半分が過ぎた時点以後に光供給を開始するようターンオンし、前記メインフレーム充電段階が終了する時間以内に光供給を中断するようターンオフすることが好ましい。
前記バックライトユニットは、前記ピクセルライン全体に同時的にターンオンする時、前記バックライトユニットは、前記ピクセルラインのうち、第１番目のピクセルラインの予備フレーム充電段階が完了する時点以後に光供給を開始するようターンオンし、前記第１番目のピクセルラインのメインフレーム充電段階が完了する時点以前に光供給を中断するようターンオフすることが好ましい。
前記予備フレーム充電段階及び前記メインフレーム充電段階は、それぞれ前記液晶セルの標準充電時間の半分の間、実行されることが好ましい。
全てのピクセルラインの液晶セルの電圧を維持するフレーム維持段階をさらに有することが好ましい。
前記フレーム維持段階は、前記液晶セルの標準充電時間の間、実行されることが好ましい。
【０００９】
全てのピクセルラインの液晶セルをブラック画像に対応する電圧で充電するブラック画像段階をさらに有することが好ましい。
前記フレーム維持段階及びブラック画像段階は、それぞれ液晶セルの標準充電時間の半分の間、実行されることが好ましい。
前記ブラック画像段階の持続時間は、画面上の第１番目のピクセルラインでの前記ブラック画像段階の持続時間から徐々に増加して、画面上の最後のピクセルラインでの前記ブラック画像段階の持続時間は最大となることが好ましい。
前記予備フレーム充電段階及びメインフレーム充電段階以後に、前記ｎ個のピクセルラインを含むピクセルライングループに該当する液晶セルの電圧をｎ個のピクセルラインの内の前記予備フレーム充電段階から選択されたピクセルラインを除いた残りのピクセルラインの内の１つのピクセルラインのピクセルデータで同時に充電する逆転予備フレーム充電段階と、前記ｎ個のピクセルラインを含むピクセルライングループのうち、自身のピクセルデータで充電されたピクセルラインの液晶セルは電圧を維持し、自身のピクセルデータで充電されなかったピクセルラインの液晶セルは電圧を維持するピクセルラインを除いたグループのうちから選択された１つのピクセルラインのピクセルデータで同時に充電する逆転メインフレーム充電段階とをさらに有することが好ましい。
複数個の画像を交互に画面に表示する場合、各画像を前記予備フレーム充電段階及びメインフレーム充電段階を利用して画面に表示することが好ましい。
左眼用画像と右眼用画像を交互に画面に表示する場合、前記左眼用画像及び右眼用画像をそれぞれ前記予備フレーム充電段階及びメインフレーム充電段階を利用して画面に表示することが好ましい。
全てのピクセルラインの液晶セルの電圧を維持するフレーム維持段階をさらに有することが好ましい。
前記予備フレーム充電段階、前記メインフレーム充電段階、及び前記フレーム維持段階の実行時間の総合計は、前記液晶セルの標準充電時間と同一であることが好ましい。
【００１０】
前記予備フレーム充電段階は、第（３Ｎ−２）番目ピクセルライン、第（３Ｎ−１）番目ピクセルライン及び第３Ｎ番目ピクセルラインの内の第１代表ピクセルラインのピクセルデータで前記第（３Ｎ−２）番目ピクセルライン、第（３Ｎ−１）番目ピクセルライン及び第３Ｎ番目ピクセルラインに該当する液晶セルの電圧を同時に充電する第１予備フレーム充電段階と、前記第１代表ピクセルラインに該当する液晶セルの電圧は維持し、第（３Ｎ−２）番目ピクセルライン、第（３Ｎ−１）番目ピクセルライン及び第３Ｎ番目ピクセルラインで前記第１代表ピクセルラインを除いたピクセルラインのうちから第２代表ピクセルラインを選択して、前記第２代表ピクセルラインのピクセルデータで残り２つのピクセルラインに該当する液晶セルの電圧を同時に充電する第２予備フレーム充電段階と、を含むことが好ましい。
前記第１及び第２予備フレーム充電段階、メインフレーム充電段階及びフレーム維持段階において、画面上の第１番目のピクセルラインの充電時間と画面上の最後のピクセルラインのフレームの充電時間との差、又は第１番目のピクセルラインの維持開始時間と画面上の最後のピクセルラインのフレームの維持開始時間との差は、前記液晶セルの標準充電時間の１／４であることが好ましい。
前記予備フレーム充電段階、メインフレーム充電段階、及びフレーム維持段階において、画面上の第１番目のピクセルラインの充電時間と画面上の最後のピクセルラインのフレームの充電時間との差、又は第１番目のピクセルラインの維持開始時間と画面上の最後のピクセルラインのフレームの維持開始時間との差は、前記液晶セルの標準充電時間の１／４であることが好ましい。
【００１１】
また、上記目的を達成するためになされた本発明に係る表示装置の駆動方法は、ｎ個のピクセルラインを含むピクセルライングループに該当する液晶セルの電圧を前記ｎ個のピクセルラインの内の１つのピクセルラインのピクセルデータで同時に充電する予備フレーム充電段階と、前記ｎ個のピクセルラインを含むピクセルライングループのうち、自身のピクセルデータで充電されたピクセルラインの液晶セルは電圧を維持し、自身のピクセルデータで充電されなかったピクセルラインの液晶セルは電圧を維持するピクセルラインを除いたピクセルライングループのうちから選択された１つのピクセルラインのピクセルデータで同時に充電するメインフレーム充電段階と、全てのピクセルラインの液晶セルの電圧を維持するフレーム維持段階と、全てのピクセルラインの液晶セルをブラック画像に対応する電圧で充電するブラック画像段階とを有し、前記予備フレーム充電段階及び前記メインフレーム充電段階は、それぞれ前記液晶セルの標準充電時間の半分の間、実行され、前記ブラック画像段階は、画面上の第１番目のピクセルラインでの前記ブラック画像段階の持続時間が画面上の最後のピクセルラインでの前記ブラック画像段階の持続時間より短いことを特徴とする。
【００１２】
また、上記目的を達成するためになされた本発明に係る表示装置の駆動方法は、ｎ個（ここで、ｎは２より大きい自然数）のピクセルラインを含むピクセルライングループのうちから選択された１つのピクセルラインには該当するピクセルデータで充電し、他のピクセルラインの液晶セルは電圧を維持するフレーム充電−維持段階と、全てのピクセルラインの液晶セルの電圧を維持するフレーム維持段階とを有することを特徴とする。
【００１３】
前記フレーム充電−維持段階は、１フレーム当たり全部ｎ回繰り返されることが好ましい。
前記フレーム充電−維持段階において、前記他のピクセルラインの液晶セルのうち、充電された液晶セルは電圧を維持し、前記他のピクセルラインの液晶セルのうち、充電されなかった液晶セルはブラック画像に対応する電圧で充電されることが好ましい。
【発明の効果】
【００１４】
本発明に係る表示装置の駆動方法によれば、少なくとも２つ以上のピクセルラインを同時に充電して１フレーム当たり発生するピクセルラインの遅延時間を液晶セルの標準充電時間の半分又は１／４以下に減らせるため、垂直解像度の低下なしで３次元画像を表示することができるという効果がある。
【００１５】
また、各フレームで液晶セルの充電が完了する有効充電期間が従来に比べて非常に大きくなるので、バックライトからの光供給時間をより長く駆動することができる。従って、画面の全体的な輝度を向上させることができるという効果がある。
また、各フレームで液晶セルの充電が完了する有効充電期間が長くなる理由によって、既存の高価な順次駆動用バックライトを用いる代わりに一括駆動用バックライトを用いることができるようになるので、製作費用を顕著に減少できるという効果がある。
【図面の簡単な説明】
【００１６】
【図１】表示装置において画面が表示される動作を説明するための斜視図である。
【図２】第１比較例に係るスキャン方式を示す概念図である。
【図３】図２のスキャン方式の液晶充電を示すグラフである。
【図４】第２比較例に係るスキャン方式を示す概念図である。
【図５】図４のスキャン方式の液晶充電を示すグラフである。
【図６】第３比較例に係るスキャン方式を示す概念図である。
【図７】第４比較例に係るスキャン方式を示す概念図である。
【図８】本発明の第１の実施形態に係る表示装置の駆動方法を示す概念図である。
【図９】本発明の第２の実施形態に係る表示装置の駆動方法を示す概念図である。
【図１０】本発明の第３の実施形態に係る表示装置の駆動方法を示す概念図である。
【図１１】本発明の第４の実施形態に係る表示装置の駆動方法を示す概念図である。
【図１２】本発明の第５の実施形態に係る表示装置の駆動方法を示す概念図である。
【図１３】本発明の第６の実施形態に係る表示装置の駆動方法を示す概念図である。
【図１４】本発明の第７の実施形態に係る表示装置の駆動方法を示す概念図である。
【図１５】本発明の第８の実施形態に係る表示装置の駆動方法を示す概念図である。
【図１６】本発明の第９の実施形態に係る表示装置の駆動方法を示す概念図である。
【図１７】本発明の第１０の実施形態に係る表示装置の駆動方法を示す概念図である。
【図１８】本発明の第１１の実施形態に係る表示装置の駆動方法を示す概念図である。
【図１９】本発明の第１２の実施形態に係る表示装置の駆動方法を示す概念図である。
【図２０】本発明の第１３の実施形態に係る表示装置の駆動方法を示す概念図である。
【図２１】本発明の第１４の実施形態に係る表示装置の駆動方法を示す概念図である。
【発明を実施するための形態】
【００１７】
次に、本発明に係る表示装置の駆動方法を実施するための形態の具体例を図面を参照しながら説明する。
【００１８】
図１は、表示装置において画面が表示される動作を説明するための斜視図である。
図１を参照すると、表示装置は、液晶パネル１００及びバックライト２００を含む。
液晶パネル１００は、複数個の液晶セル１１０、１２０を含む。
バックライトは複数個の光源基板２２０及び光源基板２２０に形成される光源２１０を含む。
【００１９】
光源２１０は、図１では、ＬＥＤ（Ｌｉｇｈｔ  Ｅｍｉｔｔｉｎｇ  Ｄｉｏｄｅ）として示しているが、光源としてはＥＬ（ｅｌｅｃｔｒｏ  ｌｕｍｉｎｅｓｃｅｎｃｅ）、ＣＣＦＬ（ｃｏｌｄ  ｃａｔｈｏｄｅ  ｆｌｕｏｒｅｓｃｅｎｔ  ｌａｍｐ）、ＨＣＦＬ（ｈｏｔ  ｃａｔｈｏｄｅ  ｆｌｕｏｒｅｓｃｅｎｔ  ｌａｍｐ）、ＥＥＦＬ（Ｅｘｔｅｒｎａｌ  Ｅｌｅｃｔｒｏｄｅ  Ｆｌｕｏｒｅｓｃｅｎｔ  Ｌａｍｐ）などのような光源を用いることもできる。
【００２０】
液晶パネル１００にイメージを表示する方法は、複数個の液晶セル１１０、１２０に各イメージ画素に対応する電圧を印加して各液晶セル１１０、１２０に該当する透過度を形成した後、これに該当するバックライト２００の光源２１０が液晶セル１１０、１２０に光を供給する方法を用いる。
液晶セル１１０、１２０に電界を形成する順序は、液晶セル１１０、１２０を構成するピクセルライン別にスキャン方向Ｄｌに進行される。
スキャン方向Ｄｌは通常、上から下へ進むが、表示装置の駆動によっては他の方向を基準にすることもできる。
【００２１】
スキャン方向Ｄｌに各ピクセルに該当する液晶セル１１０、１２０がイメージに該当する液晶の配列を形成する。
液晶セル１１０、１２０にはすでに液晶の配列が形成されているか、又は、形成中の液晶セルが存在している場合もあり、未だ該当するイメージによる液晶の配列が完了していない液晶セルも存在する場合もある。
図１において、液晶の配列が形成されているか又は形成中の液晶セルには符号「１１０」を与え、液晶の配列が完了していない液晶セルには符号「１２０」を与える。イメージによる配列が形成されていない液晶セル１２０は、直前フレームのイメージに対する配列を含んでいる。
【００２２】
液晶セル１１０、１２０に電界形成が完了した後にはバックライト２００の光源２２０が駆動して液晶セル１１０、１２０に光を供給する。
バックライト２００は各領域別に別途駆動されて液晶セル１１０、１２０のうち、電界形成が完了した液晶セル１１０にのみ光を順次に供給することができ、場合によっては一括的に光源２２０が全て駆動して液晶セル１１０、１２０に光を供給することもできる。
この際、バックライト２００が各領域別に光を供給する場合には光源２２０もまた液晶セル１１０、１２０のスキャン方向Ｄｌと同じ方向のバックライト駆動方向Ｄｂに沿って順次に駆動する。
【００２３】
図２は、第１比較例に係るスキャン方式を示す概念図である。
図２に示したスキャン方式は、説明の便宜のために１画面のイメージが１２個のピクセルラインで構成されることと仮定した。
一般的には１つの画面に千個以上のピクセルラインが構成され、場合によっては画面の高画質化のためにさらに多くの数のピクセルラインを１つの画面に含ませることができる。
【００２４】
図２を参照すると、１フレーム（１ｓｔ  ＦＲＡＭＥ、２ｎｄ  ＦＲＡＭＥ、３ｒｄ  ＦＲＡＭＥ）を表示するためには１２個のピクセルライン（Ｉ１、Ｉ２、Ｉ３、…、Ｉ１０、Ｉ１１、Ｉ１２）が表示される。
各ピクセルライン（Ｉ１、Ｉ２、Ｉ３、…、Ｉ１０、Ｉ１１、Ｉ１２）は、それぞれのフレーム区間（１ｓｔ  ＦＲＡＭＥ、２ｎｄ  ＦＲＡＭＥ、３ｒｄ  ＦＲＡＭＥ）の間に１つの画像に該当するイメージを部分的に表示し、１フレーム区間（１ｓｔ  ＦＲＡＭＥ、２ｎｄ  ＦＲＡＭＥ、３ｒｄ  ＦＲＡＭＥ）が終了すると、次のフレームに該当する画像に関するイメージを表示する。
図２では順次に左眼用画像Ｌ及び右眼用画像Ｒを交互に画面上に表示する。
【００２５】
各ピクセルライン（Ｉ１、Ｉ２、Ｉ３、…、Ｉ１０、Ｉ１１、Ｉ１２）は順次に駆動されて第１ピクセルラインＩ１が駆動を開始する時点から第１２ピクセルラインＩ１２が駆動を開始する時点は１フレーム区間（１ｓｔ  ＦＲＡＭＥ、２ｎｄ  ＦＲＡＭＥ、３ｒｄ  ＦＲＡＭＥ）と同一に実行される。
また、１フレーム周期（１ｓｔ  ＦＲＡＭＥ、２ｎｄ  ＦＲＡＭＥ、３ｒｄ  ＦＲＡＭＥ）は液晶セルの充電時間「ｔ」と同一である。液晶セルの充電時間「ｔ」又は、標準充電時間「ｔ」は液晶に電圧を印加する時点から液晶が所望するイメージの配列を完了するまでかかる時間を通常的に称する。
ピクセルライン（Ｉ１、Ｉ２、Ｉ３、…、Ｉ１０、Ｉ１１、Ｉ１２）の充電は、１フレーム周期（１ｓｔ  ＦＲＡＭＥ、２ｎｄ  ＦＲＡＭＥ、３ｒｄ  ＦＲＡＭＥ）内で充電が十分に行われた状態で光が供給されるべきである。従って、各ピクセルライン別に１フレーム周期（１ｓｔ  ＦＲＡＭＥ、２ｎｄ  ＦＲＡＭＥ、３ｒｄ  ＦＲＡＭＥ）の後半部でバックライトが光を供給する。バックライトが光を供給する区間は光供給区間Ｂｏｎである。
【００２６】
図３は、図２のスキャン方式の液晶充電を示すグラフである。
図３を参照すると、図２のスキャン中、第１ピクセルラインＩ１が実行される間に液晶セル内の液晶の充電状態が分かる。
一般的に液晶の特性は電界が形成されると同時に該当する電界により液晶が配列されず、配列のための一定時間を必要とする。第１ピクセルラインＩ１が充電され始める時点から一定期間が過ぎた後に有効充電状態になることになり、この時にバックライトで光を供給してこそ所望するイメージ画像を出力することができる。
【００２７】
図３においては、左眼用画像Ｌに関する第１ピクセルラインＩ１の充電が始まった以後、一定期間が過ぎて有効充電状態が成された場合にバックライトから光を供給する状態Ｂｏｎとなる。
また、右眼用画像Ｒに関する第１ピクセルラインＩ１が始まった以後、一定期間が過ぎて有効充電状態が成された場合にバックライトから光を供給する状態Ｂｏｎとなる。
このような工程を繰り返して液晶表示装置で３次元用画像を表示できることになる。
【００２８】
図４は、第２比較例に係るスキャン方式を示す概念図である。
図４に示したスキャン方式も同じく、説明の便宜のために１画面のイメージが１２個のピクセルラインで構成されることと仮定した。
【００２９】
図４を参照すると、１フレーム（１ｓｔ  ＦＲＡＭＥ、２ｎｄ  ＦＲＡＭＥ、３ｒｄ  ＦＲＡＭＥ）を表示するためには１２個のピクセルライン（Ｉ１、Ｉ２、Ｉ３、…、Ｉ１０、Ｉ１１、Ｉ１２）が表示される。
各ピクセルライン（Ｉ１、Ｉ２、Ｉ３、…、Ｉ１０、Ｉ１１、Ｉ１２）は、それぞれのフレーム区間（１ｓｔ  ＦＲＡＭＥ、２ｎｄ  ＦＲＡＭＥ、３ｒｄ  ＦＲＡＭＥ）の間に１つの画像に該当するイメージを部分的に表示し、１フレーム区間（１ｓｔ  ＦＲＡＭＥ、２ｎｄ  ＦＲＡＭＥ、３ｒｄ  ＦＲＡＭＥ）が終了すると、次のフレームに該当する画像に関するイメージを表示する。
図４では順次に左眼用画像Ｌ及び右眼用画像Ｒを交互に画面上に表示する。
【００３０】
各ピクセルライン（Ｉ１、Ｉ２、Ｉ３、…、Ｉ１０、Ｉ１１、Ｉ１２）は、順次に駆動されて第１ピクセルラインＩ１が駆動を開始する時点から第１２ピクセルラインＩ１２が駆動を開始する時点までを、１フレーム区間（１ｓｔ  ＦＲＡＭＥ、２ｎｄ  ＦＲＡＭＥ、３ｒｄ  ＦＲＡＭＥ）で２回実行する。
また、１フレーム周期（１ｓｔ  ＦＲＡＭＥ、２ｎｄ  ＦＲＡＭＥ、３ｒｄ  ＦＲＡＭＥ）は液晶セルの充電時間「ｔ」の２倍と同一である。ピクセルライン（Ｉ１、Ｉ２、Ｉ３、…、Ｉ１０、Ｉ１１、Ｉ１２）の充電は、１フレーム周期（１ｓｔ  ＦＲＡＭＥ、２ｎｄ  ＦＲＡＭＥ、３ｒｄ  ＦＲＡＭＥ）内で充電が十分に成された状態で光が供給されなければならない。
図２の場合とは異なって、１フレーム周期（１ｓｔ  ＦＲＡＭＥ、２ｎｄ  ＦＲＡＭＥ、３ｒｄ  ＦＲＡＭＥ）に２回の充電時間「ｔ」を有することが特徴である。従って、各ピクセルライン別に１フレーム周期（１ｓｔ  ＦＲＡＭＥ、２ｎｄ  ＦＲＡＭＥ、３ｒｄ  ＦＲＡＭＥ）の後半部である第２番目充電時間「ｔ」でバックライトが光を供給する。
バックライトが光を供給する区間は光供給区間Ｂｏｎである。
【００３１】
図５は、図４のスキャン方式の液晶の充電を示すグラフである。
図５を参照すると、図４のスキャン工程中、第１ピクセルラインＩ１が実行される間に液晶セル内の液晶の充電状態が分かる。
一般的に液晶の特性は電界が形成されると同時には、当該電界によって液晶が配列されないで、配列のための一定時間を必要とする。図５の場合には、充電時間「ｔ」が１フレーム期間（１ＦＲＡＭＥ）の半分しか該当しないため、第２番目充電時間「ｔ」の間にバックライトから光を供給する場合、十分な有効充電状態で望むイメージ画像を出力することができる。
【００３２】
図５では左眼用画像Ｌに関する第１ピクセルラインＩ１の充電が始まった以後、充電が完成された状態で第２番目充電期間の間バックライトから光を供給する状態Ｂｏｎとなる。
従って、図２の場合と比較すると、より速い充電時間を有する液晶セルを用いる。
第２番目充電期間の間には全部有効充電状態であるから、より正確なイメージを出力することができる。また、右眼用画像Ｒに関する第１ピクセルラインＩ１が始まった以後、充電が完成された状態で第２番目充電期間の間、バックライトから光を供給する状態Ｂｏｎとなる。このような工程を繰り返して液晶表示装置で３次元用画像を表示できることになる。
【００３３】
図６は、第３比較例に係るスキャン方式を示す概念図である。
図６に示したスキャン方式は、図４に示したスキャン方式でバックライトの駆動に関する部分を除いては実質的に同一である。従って、重複する説明は除く。
図６を参照すると、各ピクセルライン（Ｉ１、Ｉ２、Ｉ３、…、Ｉ１０、Ｉ１１、Ｉ１２）は順次に駆動されて第１ピクセルラインＩ１が駆動を開始する時点から第１２ピクセルラインＩ１２が駆動を開始する時点までを、１フレーム区間（１ｓｔ  ＦＲＡＭＥ、２ｎｄ  ＦＲＡＭＥ、３ｒｄ  ＦＲＡＭＥ）で２回実行する。
【００３４】
また、１フレーム周期（１ｓｔ  ＦＲＡＭＥ、２ｎｄ  ＦＲＡＭＥ、３ｒｄ  ＦＲＡＭＥ）は液晶セルの充電時間「ｔ」の２倍と同一である。
ピクセルライン（Ｉ１、Ｉ２、Ｉ３、…、Ｉ１０、Ｉ１１、Ｉ１２）の充電は、１フレーム周期（１ｓｔ  ＦＲＡＭＥ、２ｎｄ  ＦＲＡＭＥ、３ｒｄ  ＦＲＡＭＥ）内で充電が十分に成り立った状態で光が供給されなければならない。
図２の場合とは異なって、１フレーム周期（１ｓｔ  ＦＲＡＭＥ、２ｎｄ  ＦＲＡＭＥ、３ｒｄ  ＦＲＡＭＥ）に２回の充電時間「ｔ」を有することが特徴である。
【００３５】
図６では、バックライトの駆動がピクセルラインによって異なるように駆動されるのではなく、画像全体に一括的に駆動される。
バックライトは、第１２ピクセルラインＩ１２の第１番目の充電時間の後半部でターンオンして、第１ピクセルラインＩ１の第２番目充電時間が終了する前にターンオフする。
【００３６】
図７は、第４比較例に係るスキャン方式を示す概念図である。
図７に示したスキャン方式は、他のスキャン方式と区分するために１画面のイメージが６個のピクセルラインで構成されることと仮定した。
他のピクセルラインに比べてピクセルラインの個数が異なる理由は、液晶パネルの周波数が低いので、１画面当たり制限された個数のピクセルラインを構成するためである。
【００３７】
図７を参照すると、１フレーム（１ＦＲＡＭＥ）を表示するために６個のピクセルライン（Ｉ１、Ｉ２、Ｉ３、Ｉ４、Ｉ５、Ｉ６）が表示される。
各ピクセルライン（Ｉ１、Ｉ２、Ｉ３、Ｉ４、Ｉ５、Ｉ６）は１フレーム区間（１ｓｔ  ＦＲＡＭＥ、２ｎｄ  ＦＲＡＭＥ、３ｒｄ  ＦＲＡＭＥ）の間に１つの画像に該当するイメージを部分的に表示し、１フレーム区間（１ｓｔ  ＦＲＡＭＥ、２ｎｄ  ＦＲＡＭＥ、３ｒｄ  ＦＲＡＭＥ）が終了すると、次のフレームに該当する画像に関するイメージを表示する。
図７では順次に左眼用画像Ｌ及び右眼用画像Ｒを交互に画面上に表示する。
【００３８】
各ピクセルライン（Ｉ１、Ｉ２、Ｉ３、Ｉ４、Ｉ５、Ｉ６）は順次に駆動して第１ピクセルラインＩ１が駆動を開始する時点から第１２ピクセルラインＩ１２が駆動を開始する時点までを、１フレーム区間（１ｓｔ  ＦＲＡＭＥ、２ｎｄ  ＦＲＡＭＥ、３ｒｄ  ＦＲＡＭＥ）で２回実行する。
また、１フレーム周期（１ｓｔ  ＦＲＡＭＥ、２ｎｄ  ＦＲＡＭＥ、３ｒｄ  ＦＲＡＭＥ）は液晶セルの充電時間「ｔ」と実質的に同一である。ピクセルライン（Ｉ１、Ｉ２、Ｉ３、Ｉ４、Ｉ５、Ｉ６）の充電は１フレーム周期（１ｓｔ  ＦＲＡＭＥ、２ｎｄ  ＦＲＡＭＥ、３ｒｄ  ＦＲＡＭＥ）内で充電が十分に成り立った状態で光が供給されなければならない。従って、各ピクセルライン別に１フレーム周期（１ｓｔ  ＦＲＡＭＥ、２ｎｄ  ＦＲＡＭＥ、３ｒｄ  ＦＲＡＭＥ）の後半部でバックライトがターンオンする。バックライトが光を供給する区間は光供給区間Ｂｏｎである。
【００３９】
図８は、本発明の第１の実施形態に係る表示装置の駆動方法を示す概念図である。
図８を参照すると、表示装置の駆動方法は、予備フレーム充電段階Ｐ１及びメインフレーム充電段階Ｍ１を含む。
図８では説明の便宜のために１つの画面に全部で１２個のピクセルラインが含まれることと仮定した。
既に言及したように、本実施形態においても一般的には１つの画面に普通千個以上のピクセルラインが構成され、場合によっては画面の高画質化のためにより多くの数のピクセルラインを１つの画面に含ませることができる。
【００４０】
本実施形態の表示装置の駆動方法として、第１フレーム（１ｓｔ  ＦＲＡＭＥ）、第２フレーム（２ｎｄ  ＦＲＡＭＥ）、及び第３フレーム（３ｒｄ  ＦＲＡＭＥ）が連続的に実行され、第１〜第３フレーム（１ｓｔ  ＦＲＡＭＥ、２ｎｄ  ＦＲＡＭＥ、３ｒｄ  ＦＲＡＭＥ）の周期は実質的に同一である。
本実施形態は特に、３次元画像を画面で表示するための方法として、第１フレーム（１ｓｔ  ＦＲＡＭＥ）では区間（Ｌ１、Ｌ２）の間、左眼用画像を表示し、第２フレーム（２ｎｄ  ＦＲＡＭＥ）では区間（Ｒ１、Ｒ２）の間、右眼用画像を表示する。第３フレーム（３ｒｄ  ＦＲＡＭＥ）では区間（Ｌ１’、Ｌ２’）で再び左眼用画像を表示し、第１フレーム（１ｓｔ  ＦＲＡＭＥ）に出力される左眼用画像とは異なったシークエンスの画像を表示する。
【００４１】
第１フレーム（１ｓｔ  ＦＲＡＭＥ）区間を基準として見れば、予備フレーム充電段階Ｐ１では、第（２Ｎ−１）番目ピクセルラインに該当するピクセルデータで第（２Ｎ−１）番目ピクセルライン及び第２Ｎ番目ピクセルラインに該当する液晶セルの電圧を同時に充電する（ここで、Ｎは自然数）。
この時には第１フレーム（１ｓｔ  ＦＲＡＭＥ）区間においては左眼用画像イメージが画面上に一次的に準備される（Ｌ１）。
第１ピクセルラインＩ１及び第２ピクセルラインＩ２に該当する液晶セルは、第１ピクセルラインＩ１に該当するピクセルデータで同時に充電され、第３ピクセルラインＩ３及び第４ピクセルラインＩ４に該当する液晶セルは第３ピクセルラインＩ３に該当するピクセルデータで同時に充電される。
同様の方法で第５及び第６ピクセルライン（Ｉ５、Ｉ６）は、第５ピクセルラインに該当するデータで、第７及び第８ピクセルライン（Ｉ７、Ｉ８）は第７ピクセルラインに該当するデータで、第９及び第１０ピクセルライン（Ｉ９、Ｉ１０）は第９ピクセルラインに該当するデータで、第１１及び第１２ピクセルライン（Ｉ１１、Ｉ１２）は第１１ピクセルラインに該当するデータで充電する。
【００４２】
メインフレーム充電段階Ｍ１では第（２Ｎ−１）番目ピクセルラインに該当する液晶セルの電圧は維持し、第２Ｎ番目ピクセルラインに該当するピクセルデータで第２Ｎ番目ピクセルラインに該当する液晶セルの電圧を充電する。
この時に第１フレーム（１ｓｔ  ＦＲＡＭＥ）区間においては左眼用画像イメージが準備完了される（Ｌ２）。
メインフレーム充電段階Ｍ１では第１ピクセルラインＩ１、第３ピクセルラインＩ３、第５ピクセルラインＩ５、第７ピクセルラインＩ７、第９ピクセルラインＩ９、第１１ピクセルラインＩ１１に該当する液晶セルの充電状態は維持される。
メインフレーム充電段階Ｍ１では第２ピクセルラインＩ２に該当する液晶セルは第２ピクセルラインＩ２に該当するデータで充電され、第４ピクセルラインＩ４、第６ピクセルラインＩ６、第８ピクセルラインＩ８、第１０ピクセルラインＩ１０、及び第１２ピクセルラインＩ１２に該当する液晶セルはそれぞれ自身のデータに該当する状態で充電される。
【００４３】
第１フレーム（１ｓｔ  ＦＲＡＭＥ）区間が完了すると、第２フレーム（２ｎｄ  ＦＲＡＭＥ）区間においては第１フレーム（１ｓｔ  ＦＲＡＭＥ）区間で実行したのと同じ方法で右眼用画像イメージが準備される（区間（Ｒ１、Ｒ２））。
それぞれのピクセルラインに供給されるイメージのデータが右眼用画像イメージであることを除いては上述した工程と同じ工程でそれぞれのピクセルラインに該当する液晶セルを充電する。
第２フレーム（２ｎｄ  ＦＲＡＭＥ）区間が完了すると、第３フレーム（３ｒｄ  ＦＲＡＭＥ）区間が開始される。
【００４４】
第３フレーム（３ｒｄ  ＦＲＡＭＥ）区間においては、第１フレーム（１ｓｔ  ＦＲＡＭＥ）区間で実行された、予備フレーム充電段階Ｐ１及びメインフレーム充電段階Ｍ１の代わりに、逆転予備フレーム充電段階及び逆転メインフレーム充電段階が実行される。
【００４５】
逆転予備フレーム充電段階は、予備フレーム充電段階と同じ方法で実行されるが、最初に充電されるピクセルデータが第２Ｎ番目ピクセルラインに該当するピクセルデータで充電される点が異なる。
また、逆転メインフレーム充電段階ではメインフレーム充電段階と同じ方法で実行されるが、第２Ｎ番目ピクセルラインに該当する液晶セルの電圧が維持され、第（２Ｎ−１）番目ピクセルラインに該当するピクセルが新しく充電される点が異なる。
【００４６】
図８を再び参照すると、第１フレーム（１ｓｔ  ＦＲＡＭＥ）の予備フレーム充電段階Ｐ１では第（２Ｎ−１）番目ピクセルラインに該当するピクセルデータで充電する。
即ち、第１、第３、第５、第７、第９及び第１１番目ピクセルラインに該当するピクセルデータで該当するピクセルグループの液晶セルに充電される。
しかし、第３フレーム（３ｒｄ  ＦＲＡＭＥ）の逆転予備フレーム充電段階ＲＰでは第２Ｎ番目ピクセルラインに該当するピクセルデータで充電する。即ち、第２、第４、第６、第８、第１０及び第１２ピクセルラインに該当するピクセルデータで、該当するピクセルグループの液晶セルに同時に充電される。
予備フレーム及び逆転予備フレームに充電の基準となるピクセルラインは交互に採用される。もし、ピクセルグループが３つ以上のピクセルラインからなる場合には、１つのピクセルグループのうち、順次に選択されるピクセルラインを基準として１つのピクセルグループを同時に充電する。
【００４７】
逆転予備フレーム充電段階ＲＰ及び逆転メインフレーム充電段階ＲＭは、予備フレーム充電段階及びメインフレーム充電段階で充電されるピクセルラインの順序を変えたことと同一である。
以後、第４フレーム区間が開始される場合、第２フレーム区間の逆転予備フレーム充電段階及び逆転メインフレーム充電段階に実行され、第５フレーム区間においては第１フレーム区間と同じ順序で実行される。
【００４８】
予備フレーム充電段階Ｐ１及びメインフレーム充電段階Ｍ１において、画面上の第１番目のピクセルラインの充電開始時間と画面上の最後のピクセルラインの充電開始時間との差は液晶セルの標準充電時間の半分（ｔ／２）である。
従って、本実施形態のスキャン遅延時間は標準充電時間の半分（ｔ／２）となる。
予備フレーム充電段階Ｐ１で第１ピクセルラインＩ１の充電が開始された以後、液晶セルの標準充電時間の半分（ｔ／２）が過ぎた後に第１１及び第１２ピクセルライン（Ｉ１１、Ｉ１２）の充電が開始される。これは画面上の全てのピクセルラインの充電が開始される時間が液晶セルの標準充電時間の半分（ｔ／２）がかかるという意味である。従って、１フレームの遅延時間を半分に減らすことができるという長所がある。
【００４９】
予備フレーム充電段階Ｐ１及びメインフレーム充電段階Ｍ１は、液晶セルの標準充電時間「ｔ」間実行される。それぞれの充電段階（Ｐ１、Ｍ１）は各ピクセルラインに該当する液晶セルの標準充電時間「ｔ」の間、実行され、予備フレーム充電段階Ｐ１が完了する間に１つのラインの液晶セルの充電が完了し、メインフレーム充電段階Ｍ１が完了する間に他の１つのピクセルラインの液晶セルの充電が完了する。
もし、予備フレーム充電段階Ｐ１において第（２Ｎ−１）番目ピクセルライン及び第２Ｎ番目ピクセルラインに該当する液晶セルの充電が完了する場合、メインフレーム充電段階Ｍ１で充電される第２Ｎ番目ピクセルラインに該当する液晶セルは、隣接するピクセルと同じ電圧で充電された状態で自身のデータに該当する電圧で充電されるので、有効充電状態になるまでの充電時間をより短く実行することができる。従って、メインフレーム充電段階Ｍ１では短い時間内に全てのピクセルラインに該当する液晶セルが該当する電圧の配列で充電が完了することができる。
【００５０】
また、メインフレーム充電段階Ｍ１が実行される間、バックライトから液晶セルに光を供給することができる。ピクセルラインに該当する液晶セルはメインフレーム充電段階Ｍ１が実行される間、光が供給されてイメージを表示することができる。
もし、バックライトがピクセルラインに対応する領域別に駆動される場合には、各ピクセルラインを基準として、予備フレーム充電段階Ｐ１が開始される時間から液晶セルの標準充電時間の半分が過ぎた時点以後にターンオンして、メインフレーム充電段階Ｍ１が終了する時間以内にターンオフする。
【００５１】
図４の比較例では、バックライトが各ピクセルライン別に駆動が可能な場合にメインフレーム充電段階Ｍ１に該当する区間だけでターンオンする。これは各画面のイメージ転換、特に３次元イメージを示す場合、左右画像の転換が起きるが、図４の比較例ではこのような転換が起きる場合に各画面の画像が転換される間、ブラック画像を挿入しなければならない。しかし、本実施形態ではブラック画像を挿入する必要がなく、また、既存のバックライトのターンオン時間よりさらに長い時間の間にターンオンできて、全体的なイメージの輝度が上昇する。
【００５２】
図９は、本発明の第２の実施形態に係る表示装置の駆動方法を示す概念図である。
図９の実施形態ではバックライトの駆動を除いて、各ピクセルラインの駆動は図８に示した実施形態と同一である。
図８の実施形態ではバックライトがピクセルラインに対応する領域別に駆動されるが、本実施形態ではバックライトがピクセルライン全体に同時的にターンオンする点が異なる。
【００５３】
図９を参照すると、バックライトが駆動される区間Ｂｏｎは、ピクセルラインのうち、第１番目のピクセルラインＩ１の予備フレーム充電段階Ｐ１が完了する時点以後から第１番目のピクセルラインＩ１のメインフレーム充電段階Ｍ１が完了する時点以前となる。
上述したように予備フレーム充電段階Ｐ１が完了した時点において各ピクセルラインは隣接したピクセルラインのイメージデータで既に充電された状態であり、また、このように充電された状態から自身のイメージデータで充電される時間は新しく充電する時間より短い。従って、メインフレーム充電段階Ｍ１の間、バックライトで一括的に光を供給することができる。
【００５４】
図６の比較例では、バックライトがピクセルライン全体に一括的に駆動する場合に非常に短い期間の間のみ光を供給する。
上述のように各ピクセルラインに該当する液晶セルが十分に有効に充電された状態で光を供給しなければならなく、図６の比較例では画面の第１番目のピクセルラインの充電開始時点と画面の最後のピクセルラインの充電開始時点との間の時間差が液晶セルの標準充電時間「ｔ」に該当するので、画面の第１番目のピクセルラインと画面の最後のピクセルラインともに有効充電状態である区間が非常に短い。
従って、極めて少ない時間の間のみ、バックライトが光を供給し、画面の輝度が非常に減少することになる。特に、２次元画像と３次元画像を兼用表示する表示装置において、３次元画像を表示する場合に輝度が急激に低下するということがある。
【００５５】
しかし、本実施形態に係る表示装置の駆動方法では、第１ピクセルラインＩ１の駆動開始時間と第１２ピクセルラインＩ１２の駆動開始時間との差が液晶セルの標準充電時間「ｔ」の半分（ｔ／２）であるので、全区間に同時に光を供給できる有効充電期間がさらに増える。
図９を参照すると、バックライトが光を供給できる期間は、第１ピクセルラインＩ１の予備充電段階Ｐ１が終了する時点以後から開始され第１ピクセルラインＩ１のメイン充電段階Ｍ１が完了する時点まで光を供給することができる。従って、全体的に画面の輝度が既存の駆動方式に比べて顕著に増加することになる。
【００５６】
図１０は、本発明の第３の実施形態に係る表示装置の駆動方法を示す概念図である。
図１０を参照すると、表示装置の駆動方法は、予備フレーム充電段階Ｐ１、メインフレーム充電段階Ｍ１及びフレーム維持段階Ｓ１を含む。
図１０では説明の便宜のために１つの画面に全部で１２個のピクセルラインが含まれることと仮定した。
既に言及したことと同様に、普通千個以上のピクセルラインが構成されて、場合によっては画面の高画質化のためにより多くの数のピクセルラインを１つの画面に含ませることができる。
【００５７】
予備フレーム充電段階Ｐ１では第（２Ｎ−１）番目ピクセルラインに該当するピクセルデータで第（２Ｎ−１）番目ピクセルライン及び第２Ｎ番目ピクセルラインに該当する液晶セルの電圧を同時に充電する。
第１ピクセルラインＩ１及び第２ピクセルラインＩ２に該当する液晶セルは、第１ピクセルラインＩ１に該当するピクセルデータで同時に充電され、第３ピクセルラインＩ３及び第４ピクセルラインＩ４に該当する液晶セルは第３ピクセルラインＩ３に該当するピクセルデータで同時に充電される。
同様の方法で第５及び第６ピクセルライン（Ｉ５、Ｉ６）は第５ピクセルラインに該当するデータで、第７及び第８ピクセルライン（Ｉ７、Ｉ８）は第７ピクセルラインに該当するデータで、第９及び第１０ピクセルライン（Ｉ９、Ｉ１０）は第９ピクセルラインに該当するデータで、第１１及び第１２ピクセルライン（Ｉ１１、Ｉ１２）は第１１ピクセルラインに該当するデータで充電する。
【００５８】
メインフレーム充電段階Ｍ１では第（２Ｎ−１）番目ピクセルラインに該当する液晶セルの電圧は維持し、第２Ｎ番目ピクセルラインに該当するピクセルデータで第２Ｎ番目ピクセルラインに該当する液晶セルの電圧を充電する。
メインフレーム充電段階Ｍ１では第１ピクセルラインＩ１、第３ピクセルラインＩ３、第５ピクセルラインＩ５、第７ピクセルラインＩ７、第９ピクセルラインＩ９、第１１ピクセルラインＩ１１に該当する液晶セルの充電状態は維持される。
メインフレーム充電段階Ｍ１では第２ピクセルラインＩ２に該当する液晶セルは第２ピクセルラインＩ２に該当するデータで充電され、第４ピクセルラインＩ４、第６ピクセルラインＩ６、第８ピクセルラインＩ８、第１０ピクセルラインＩ１０、及び第１２ピクセルラインＩ１２に該当する液晶セルはそれぞれ自身のデータに該当する状態で充電される。
【００５９】
フレーム維持段階Ｓ１では全てのピクセルライン（Ｉ１、Ｉ２、Ｉ３、…、Ｉ１０、Ｉ１１、Ｉ１２）の液晶セルに充電された電圧が維持される。
予備フレーム充電段階Ｐ１及びメインフレーム充電段階Ｍ１は、それぞれ液晶セルの標準充電時間の半分（ｔ／２）の間、実行され、フレーム維持段階Ｓ１は液晶セルの標準充電時間「ｔ」の間、実行される。
予備フレーム充電段階Ｐ１及びメインフレーム充電段階Ｍ１において、画面上の第１番目のピクセルラインの充電開始時間と画面上の最後のピクセルラインの充電開始時間との差は、液晶セルの標準充電時間の半分（ｔ／２）である。予備フレーム充電段階Ｐ１において第１ピクセルラインＩ１の充電が開始された以後、液晶セルの標準充電時間の半分（ｔ／２）が過ぎた後、第１１及び第１２ピクセルラインＩ１１，Ｉ１２の充電が開始される。これは画面上の全てのピクセルラインの充電が開始される時間が液晶セルの標準充電時間の半分（ｔ／２）に減る。従って、１フレームの遅延時間を半分に減らすことができるという長所がある。
【００６０】
また、本実施形態ではフレーム維持段階Ｓ１間、画面上の全ての液晶セルが該当するイメージで充電が完了した状態を維持できて、他の実施形態に比べて、画面上の全ての液晶セルが該当するイメージで充電が完了した状態を維持する期間をさらに長く確保することができるという長所がある。
従って、バックライトの順次的な駆動なしで画面全体に同時的に駆動される方式をさらに簡単に用いることができる。本実施形態において、バックライトはピクセルライン全体に同時にターンオンする。ピクセルラインのうち、最後のピクセルラインＩ１２のメインフレーム充電段階Ｍ１が始まる時点以後にターンオンして第１番目のピクセルラインＩ１のフレーム維持段階Ｓ１が完了する時点以前にターンオフする。従って、さらに長い期間中、バックライトで光を供給できるので、イメージの全体的な輝度を上昇できる効果がある。
【００６１】
本実施形態は図６の比較例と比較できるが、図６の比較例ではバックライトが一括的に駆動する場合に、極めて一部分だけで光を供給しなければならない。
バックライトが一括的に光を供給する場合には画面上の全ての液晶セルが該当するイメージで電圧が充電されることを完了した以後であるべきだが、図６の比較例ではこのような区間が非常に短い。
しかし、本実施形態においては既存バックライトの光供給時間よりさらに長い時間の間に光を供給することができ、全体的なイメージの輝度上昇を有することができる。
【００６２】
図８〜図１０を参照すると、画面上に１つの予備フレーム充電段階Ｐ１及びメインフレーム充電段階Ｍ１が完了した以後に、次のフレームに該当する画像に対する予備フレーム充電段階Ｐ１及びメインフレーム充電段階Ｍ１がある場合に、予備フレーム充電段階Ｐ１で同時に充電される基準ピクセルラインを互いに交互に充電することができる。
言い換えれば、予備フレーム充電段階Ｐ１及びメインフレーム充電段階Ｍ１以後に、本実施形態に係る表示装置の駆動方法は逆転予備フレーム充電段階及び逆転メインフレーム充電段階をさらに含むことができる。
【００６３】
逆転予備フレーム充電段階は、直前予備フレーム充電段階において第（２Ｎ−１）番目ピクセルラインに該当するピクセルデータで第（２Ｎ−１）番目ピクセルライン及び第２Ｎ番目ピクセルラインに該当する液晶セルの電圧を同時に充電する場合、第２Ｎ番目ピクセルラインに該当するピクセルデータで第（２Ｎ−１）番目ピクセルライン及び第２Ｎ番目ピクセルラインに該当する液晶セルの電圧を同時に充電する段階である。
逆転予備フレーム充電段階以後にメインフレーム充電段階は第２Ｎ番目ピクセルラインに該当する液晶セルの電圧は維持し、第（２Ｎ−１）番目ピクセルラインに該当するピクセルデータで第（２Ｎ−１）番目ピクセルラインに該当する液晶セルの電圧を充電する。
このように基準となるピクセルラインを互いに交互に駆動して発生するイメージの歪曲をもう少し安定化することができる。
【００６４】
図１０を再び参照すると、第１フレーム（１ｓｔ  ＦＲＡＭＥ）区間においては第（２Ｎ−１）番目ピクセルラインに該当するピクセルデータで第（２Ｎ−１）番目ピクセルライン及び第２Ｎ番目ピクセルラインに該当する液晶セルの電圧が同時に充電される。
しかし、第３フレーム区間（３ｒｄ  ＦＲＡＭＥ）区間においては、第２Ｎ番目ピクセルラインに該当するピクセルデータで第（２Ｎ−１）番目ピクセルライン及び第２Ｎ番目ピクセルラインに該当する液晶セルの電圧が同時に充電される。
同様に、第２フレーム（２ｎｄ  ＦＲＡＭＥ）区間においては第（２Ｎ−１）番目ピクセルラインに該当するピクセルデータで第（２Ｎ−１）番目ピクセルライン及び第２Ｎ番目ピクセルラインに該当する液晶セルの電圧が同時に充電され、図に示していないが、第４フレーム区間においては第２Ｎ番目ピクセルラインに該当するピクセルデータで第（２Ｎ−１）番目ピクセルライン及び第２Ｎ番目ピクセルラインに該当する液晶セルの電圧が同時に充電される。
【００６５】
第４フレーム（４ｔｈ  ＦＲＡＭＥ）区間は図に示していないが、第１及び第３フレーム（１ｓｔ  ＦＲＡＭＥ、３ｒｄ  ＦＲＡＭＥ）区間においてはそれぞれ左眼用画像を画面に表示する区間（Ｌ１、Ｌ２、Ｌ１’、Ｌ２’）を有することができ、第２及び第４フレーム（２ｎｄ  ＦＲＡＭＥ、４ｔｈ  ＦＲＡＭＥ）区間においてはそれぞれ右眼用画像を画面に表示する区間（Ｒ１、Ｒ２、Ｒ１’、Ｒ２’）を有することができる。
【００６６】
図１１は、本発明の第４の実施形態に係る表示装置の駆動方法を示す概念図である。
本実施形態に係る表示装置の駆動方法は、図８の実施形態に係る表示装置の駆動方法でバックライトの駆動に関する部分を除いては実質的に同一である。従って、重複する説明は省略する。
【００６７】
図１１を参照すると、表示装置の駆動方法は、予備フレーム充電段階Ｐ１及びメインフレーム充電段階Ｍ１を含む。
予備フレーム充電段階Ｐ１では第（２Ｎ−１）番目ピクセルラインに該当するピクセルデータで第（２Ｎ−１）番目ピクセルライン及び第２Ｎ番目ピクセルラインに該当する液晶セルの電圧を同時に充電する。
第１ピクセルラインＩ１及び第２ピクセルラインＩ２に該当する液晶セルは、第１ピクセルラインＩ１に該当するピクセルデータで同時に充電され、第３ピクセルラインＩ３及び第４ピクセルラインＩ４に該当する液晶セルは、第３ピクセルラインＩ３に該当するピクセルデータで同時に充電される。
メインフレーム充電段階Ｍ１では第（２Ｎ−１）番目ピクセルラインに該当する液晶セルの電圧は維持して、第２Ｎ番目ピクセルラインに該当するピクセルデータで第２Ｎ番目ピクセルラインに該当する液晶セルの電圧を充電する。
【００６８】
予備フレーム充電段階Ｐ１及びメインフレーム充電段階Ｍ１で、画面上の第１番目のピクセルラインの充電開始時間と、画面上の最後のピクセルラインの充電開始時間との差は、液晶セルの標準充電時間の半分（ｔ／２）である。
予備フレーム充電段階Ｐ１において、第１ピクセルラインＩ１の充電が開始された以後、液晶セルの標準充電時間の半分（ｔ／２）が過ぎた後、第１１及び第１２ピクセルライン（Ｉ１１、Ｉ１２）の充電が開始される。
これは画面上の全てのピクセルラインの充電が開始される時間が液晶セルの標準充電時間の半分（ｔ／２）かかる。従って、１フレームの遅延時間を半分に減らすことができるという長所がある。
【００６９】
メインフレーム充電段階Ｍ１が実行されている間、バックライトはターンオンして液晶セルに光を供給する。
ピクセルラインに該当する液晶セルはメインフレーム充電段階Ｍ１が実行されている間、光が供給されてイメージを表示することができる。
もし、バックライトがピクセルラインに対応する領域別に駆動される場合には各ピクセルラインを基準として、メインフレーム充電段階Ｍ１が始まる時点以後にターンオンして、メインフレーム充電段階Ｍ１が終了する時間以内にターンオフする。
図８の実施形態と異なるようにメインフレーム充電段階Ｍ１をもう少し制限的に適用するに伴って、画面上にイメージをより鮮明に表示できる長所がある。
【００７０】
図１２は、本発明の第５の実施形態に係る表示装置の駆動方法を示す概念図である。
図１２を参照すると、表示装置の駆動方法は、第１予備フレーム充電段階Ｐ１１、第２予備フレーム充電段階、及びメインフレーム充電段階Ｍ１を含む。図１２では説明の便宜のために１つの画面に全部で１２個のピクセルラインが含まれることと仮定した。
【００７１】
第１予備フレーム充電段階では第（３Ｎ−２）番目ピクセルライン、第（３Ｎ−１）番目ピクセルライン及び第３Ｎ番目ピクセルラインのうち、第１代表ピクセルライン（例えば、第１ピクセルライン）のピクセルデータで第（３Ｎ−２）番目ピクセルライン、第（３Ｎ−１）番目ピクセルライン及び第３Ｎ番目ピクセルラインに該当する液晶セルの電圧を同時に充電する。
第１ピクセルラインＩ１、第２ピクセルラインＩ２、及び第３ピクセルラインＩ３に該当する液晶セルは第１ピクセルラインＩ１に該当するピクセルデータで同時に充電される。第４ピクセルラインＩ４、第５ピクセルラインＩ５及び第６ピクセルラインＩ６に該当する液晶セルは第４ピクセルラインＩ４に該当するピクセルデータで同時に充電される。  同様の方法で、第７、第８及び第９ピクセルライン（Ｉ７、Ｉ８、Ｉ９）は第７ピクセルラインに該当するデータで、第１０、第１１、及び第１２ピクセルライン（Ｉ１０、Ｉ１１、Ｉ１２）は第１０ピクセルラインに該当するデータで充電する。
【００７２】
第２予備フレーム充電段階Ｐ１２では第１代表ピクセルラインに該当する液晶セルの電圧は維持して、第（３Ｎ−２）番目ピクセルライン、第（３Ｎ−１）番目ピクセルライン、及び第３Ｎ番目ピクセルラインで第１代表ピクセルラインを除いたピクセルラインの内から第２代表ピクセルライン（例えば、第２ピクセルライン）を選択して、第２代表ピクセルラインのピクセルデータで残り２つのピクセルラインに該当する液晶セルの電圧を同時に充電する。
第１ピクセルラインＩ１に該当する液晶セルは電圧を維持し、第２ピクセルラインＩ２及び第３ピクセルラインＩ３に該当する液晶セルは第２ピクセルラインＩ２に該当するピクセルデータで同時に充電される。
第４ピクセルラインＩ４に該当する液晶セルは電圧を維持し、第５ピクセルラインＩ５及び第６ピクセルラインＩ６に該当する液晶セルは第５ピクセルラインＩ５に該当するピクセルデータで同時に充電される。
同様の方法で、第７及び第１０ピクセルライン（Ｉ７、Ｉ１０）に該当する液晶セルは電圧を維持し、第８及び第９ピクセルライン（Ｉ８、Ｉ９）は第８ピクセルラインに該当するデータで、第１１及び第１２ピクセルライン（Ｉ１１、Ｉ１２）は第１１ピクセルラインに該当するデータで充電する。
【００７３】
メインフレーム充電段階Ｍ１は、第１代表ピクセルライン及び第２代表ピクセルラインに該当する液晶セルの電圧は維持し、残り１つのピクセルラインのピクセルデータで残り１つのピクセルラインに該当する液晶セルの電圧を充電する。
第１ピクセルラインＩ１及び第２ピクセルラインＩ２に該当する液晶セルは電圧を維持し、第３ピクセルラインＩ３に該当する液晶セルは第３ピクセルラインＩ３に該当するピクセルデータで充電する。
第４ピクセルラインＩ４及び第５ピクセルラインＩ５に該当する液晶セルは電圧を維持し、第６ピクセルラインＩ６に該当する液晶セルは第６ピクセルラインＩ６に該当するピクセルデータで同時に充電される。
同様の方法で第７、第８、第１０、及び第１１ピクセルライン（Ｉ７、Ｉ８、Ｉ１０、Ｉ１１）に該当する液晶セルは電圧を維持し、第９ピクセルラインＩ９は第９ピクセルラインに該当するデータで、第１２ピクセルラインＩ１２は第１２ピクセルラインに該当するデータで充電する。
【００７４】
第１予備フレーム充電段階Ｐ１１、第２予備フレーム充電段階Ｐ１２、及びメインフレーム充電段階Ｍ１で、画面上の第１番目のピクセルラインの充電開始時間と画面上の最後のピクセルラインの充電開始時間との差は、液晶セルの標準充電時間の四分の一（ｔ／４）である。
第１予備フレーム充電段階Ｐ１１で第１ピクセルラインＩ１、第２ピクセルラインＩ２、及び第３ピクセルラインＩ３の充電が開始された以後、液晶セルの標準充電時間の四分の一（ｔ／４）が過ぎた後、第１０、第１１、及び第１２ピクセルライン（Ｉ１０、Ｉ１１、Ｉ１２）の充電が開始される。これは画面上の全てのピクセルラインの充電が開始される時間が液晶セルの標準充電時間の四分の一（ｔ／４）になるという意味である。従って、１フレームの遅延時間を四分の一を減らすことができるという長所がある。
【００７５】
また、本実施形態の表示装置の駆動方法は、第（３Ｎ−２）番目ピクセルライン、第（３Ｎ−１）番目ピクセルライン及び第３Ｎ番目ピクセルラインともに該当する液晶セルの電圧を維持するフレーム維持段階Ｓ１をさらに含むことができる。
フレーム維持段階Ｓ１ではピクセルライン（Ｉ１、Ｉ２、Ｉ３、…、Ｉ１０、Ｉ１１、Ｉ１２）全て該当する液晶セルの電圧が維持される。
【００７６】
第１及び第２予備フレーム充電段階（Ｐ１１、Ｐ１２）及びメインフレーム充電段階Ｍ１は、液晶セルの標準充電時間「ｔ」の四分の一（ｔ／４）の間、実行される。
それぞれの充電段階（Ｐ１１、Ｐ１２，、Ｍ１）は、各ピクセルラインに該当する液晶セルの標準充電時間「ｔ」の四分の一（ｔ／４）の間、実行される。
また、フレーム維持段階Ｓ１は、第１及び第２予備フレーム充電段階（Ｐ１１、Ｐ１２）及びメインフレーム充電段階Ｍ１のように液晶セルの標準充電時間「ｔ」の四分の一（ｔ／４）の間、実行される。
従って、充電段階（Ｐ１１、Ｐ１２、Ｍ１）及び維持段階Ｓ１の合計は、１フレーム周期（１ＦＲＡＭＥ）と一致する。
【００７７】
場合によっては表示装置に使われる液晶をより短い充電時間を有する液晶で用いることができる。
このような場合には、概ね第１及び第２予備フレーム充電段階（Ｐ１１、Ｐ１２）、メインフレーム充電段階Ｍ１、及びフレーム維持段階Ｓ１は、それぞれ液晶セルの標準充電時間の１／３以上であることができる。
【００７８】
また、メインフレーム充電段階Ｍ１及びフレーム維持段階Ｓ１が実行されている間、バックライトはターンオンして液晶セルに光を供給する。
ピクセルラインに該当する液晶セルは、メインフレーム充電段階Ｍ１及びフレーム維持段階Ｓ１が実行される間、光が供給されてイメージを表示することができる。
もし、バックライトがピクセルラインに対応する領域別に駆動される場合には各ピクセルラインを基準として、メインフレーム充電段階Ｍ１が始まる時間からターンオンして光供給を開始し、フレーム維持段階Ｓ１が終了する時間以内にターンオフして光供給を中断する。
【００７９】
図１３は、本発明の第６の実施形態に係る表示装置の駆動方法を示す概念図である。
本実施形態に係る表示装置の駆動方法は、図１２の実施形態に係る表示装置の駆動方法とバックライトの駆動に関する部分を除いては実質的に同一である。従って、重複する説明は省略する。
【００８０】
本発明の第６の実施形態に係る表示装置の駆動方法は、第１予備フレーム充電段階Ｐ１１、第２予備フレーム充電段階、及びメインフレーム充電段階Ｍ１を含む。
第１予備フレーム充電段階では第（３Ｎ−２）番目ピクセルライン、第（３Ｎ−１）番目ピクセルライン及び第３Ｎ番目ピクセルラインのうち、第１代表ピクセルラインのピクセルデータで第（３Ｎ−２）番目ピクセルライン、第（３Ｎ−１）番目ピクセルライン及び第３Ｎ番目ピクセルラインに該当する液晶セルの電圧を同時に充電する。
第２予備フレーム充電段階Ｐ１２においては第１代表ピクセルラインに該当する液晶セルの電圧は維持し、第（３Ｎ−２）番目ピクセルライン、第（３Ｎ−１）番目ピクセルライン、及び第３Ｎ番目ピクセルラインで第１代表ピクセルラインを除いたピクセルラインの内から第２代表ピクセルラインを選択して、第２代表ピクセルラインのピクセルデータで残り２つのピクセルラインに該当する液晶セルの電圧を同時に充電する。
メインフレーム充電段階Ｍ１は、第１代表ピクセルライン及び第２代表ピクセルラインに該当する液晶セルの電圧は維持し、残り１つのピクセルラインのピクセルデータで残り１つのピクセルラインに該当する液晶セルの電圧を充電する。
また、本実施形態の表示装置の駆動方法は、第（３Ｎ−２）番目ピクセルライン、第（３Ｎ−１）番目ピクセルライン及び第３Ｎ番目ピクセルラインともに該当する液晶セルの電圧を維持するフレーム維持段階Ｓ１をさらに含むことができる。
【００８１】
また、メインフレーム充電段階Ｍ１及びフレーム維持段階Ｓ１が実行されている間、バックライトは同時にターンオンして液晶セルに光を供給する。
バックライトが同時にターンオンしてピクセルラインに一括的に光を供給する場合、バックライトは第１ピクセルラインＩ１を基準として、メインフレーム充電段階Ｍ１が完了する時間から第１ピクセルラインＩ１のフレーム維持段階Ｓ１が終了する時間以内までの間ターンオンする。
【００８２】
図１４は、本発明の第７の実施形態に係る表示装置の駆動方法を示す概念図である。
図１４を参照すると、図１４は図１３に示した実施形態とバックライトの駆動に関する部分を除いては実質的に同一である。従って、重複する説明は除く。
【００８３】
本発明の第７の実施形態に係る表示装置の駆動方法は、第１予備フレーム充電段階Ｐ１１、第２予備フレーム充電段階、及びメインフレーム充電段階Ｍ１を含む。
第１予備フレーム充電段階においては第（３Ｎ−２）番目ピクセルライン、第（３Ｎ−１）番目ピクセルライン及び第３Ｎ番目ピクセルラインのうち、第１代表ピクセルラインのピクセルデータで第（３Ｎ−２）番目ピクセルライン、第（３Ｎ−１）番目ピクセルライン及び第３Ｎ番目ピクセルラインに該当する液晶セルの電圧を同時に充電する。
第２予備フレーム充電段階Ｐ１２においては第１代表ピクセルラインに該当する液晶セルの電圧は維持し、第（３Ｎ−２）番目ピクセルライン、第（３Ｎ−１）番目ピクセルライン、及び第３Ｎ番目ピクセルラインで第１代表ピクセルラインを除いたピクセルラインの内から第２代表ピクセルラインを選択して、第２代表ピクセルラインのピクセルデータで残り２つのピクセルラインに該当する液晶セルの電圧を同時に充電する。
メインフレーム充電段階Ｍ１は、第１代表ピクセルライン及び第２代表ピクセルラインに該当する液晶セルの電圧は維持して、残り１つのピクセルラインのピクセルデータで残り１つのピクセルラインに該当する液晶セルの電圧を充電する。
また、本実施形態の表示装置の駆動方法は、第（３Ｎ−２）番目ピクセルライン、第（３Ｎ−１）番目ピクセルライン及び第３Ｎ番目ピクセルラインに該当する液晶セルの電圧を維持するフレーム維持段階Ｓ１をさらに含むことができる。
【００８４】
また、メインフレーム充電段階Ｍ１及びフレーム維持段階Ｓ１が実行されている間、バックライトは同時にターンオンする。
ピクセルラインに該当する液晶セルはメインフレーム充電段階Ｍ１及びフレーム維持段階Ｓ１が実行されている間、光が供給されてイメージを表示することができる。
バックライトがピクセルラインに同時にターンオンして一括的に光を供給する場合、バックライトは、第１ピクセルラインＩ１を基準として、メインフレーム充電段階Ｍ１が始まる時間以後から第１ピクセルラインＩ１のフレーム維持段階Ｓ１が終了する時間以内までの間ターンオンする。
【００８５】
図１５は、本発明の第８の実施形態に係る表示装置の駆動方法を示す概念図である。
図１５を参照すると、表示装置の駆動方法は、予備フレーム充電段階Ｐ１、メインフレーム充電段階Ｍ１及びフレーム維持段階Ｓ１を含む。
【００８６】
予備フレーム充電段階Ｐ１は、第（４Ｎ−３）番目ピクセルラインに該当するピクセルデータで第（４Ｎ−３）番目ピクセルライン、第（４Ｎ−２）番目ピクセルライン、第（４Ｎ−１）番目ピクセルライン及び第４Ｎ番目ピクセルラインに該当する液晶セルの電圧を同時に充電する。
ピクセルラインのうち、第１〜第４ピクセルライン（Ｉ１、Ｉ２、Ｉ３、Ｉ４）に該当する液晶セルに第１ピクセルラインＩ１に該当するピクセルデータで液晶セルの電圧を同時に充電する。
また、ピクセルラインのうち、第５〜第８ピクセルライン（Ｉ５、Ｉ６、Ｉ７、Ｉ８）に該当する液晶セルに第５ピクセルラインＩ５に該当するピクセルデータで液晶セルの電圧を同時に充電する。
同様に、ピクセルラインのうち、第９〜第１２ピクセルライン（Ｉ９、Ｉ１０、Ｉ１１、Ｉ１２）に該当する液晶セルに第９ピクセルラインＩ９に該当するピクセルデータで液晶セルの電圧を同時に充電する。
【００８７】
メインフレーム充電段階Ｍ１では第（４Ｎ−３）番目ピクセルライン及び第（４Ｎ−２）番目ピクセルラインに該当する液晶セルの電圧は維持し、第（４Ｎ−１）番目ピクセルラインに該当するピクセルデータで第（４Ｎ−１）番目ピクセルライン及び第４Ｎ番目ピクセルラインに該当する液晶セルの電圧を充電する。
ピクセルラインのうち、第１及び第２ピクセルライン（Ｉ１、Ｉ２）に該当する液晶セルは電圧を維持して、第３及び第４ピクセルライン（Ｉ３、Ｉ４）に該当する液晶セルは第３ピクセルラインＩ３に該当するピクセルデータで液晶セルの電圧を同時に充電する。
また、ピクセルラインのうち、第５及び第６ピクセルライン（Ｉ５、Ｉ６）に該当する液晶セルは電圧を維持して、第７及び第８ピクセルライン（Ｉ７、Ｉ８）に該当する液晶セルは第７ピクセルラインＩ７に該当するピクセルデータで液晶セルの電圧を同時に充電する。
同様に、ピクセルラインのうち、第９及び第１０ピクセルライン（Ｉ９、Ｉ１０）に該当する液晶セルは電圧を維持して、第１１及び第１２ピクセルライン（Ｉ１１、Ｉ１２）に該当する液晶セルは第１１ピクセルラインＩ１に該当するピクセルデータで液晶セルの電圧を同時に充電する。
【００８８】
フレーム維持段階Ｓ１では、第（４Ｎ−３）番目ピクセルライン、第（４Ｎ−２）番目ピクセルライン、第（４Ｎ−１）番目ピクセルライン及び第４Ｎ番目ピクセルラインすべて該当する液晶セルの電圧を維持する。
第１〜第１２ピクセルライン（Ｉ１、Ｉ２、Ｉ３、…、Ｉ１０、Ｉ１１、Ｉ１２）に該当する全ての液晶セルの充電電圧が維持される。
【００８９】
図１５を再び参照すると、本実施形態に係る表示装置の駆動方法で、予備フレーム充電段階Ｐ１、メインフレーム充電段階Ｍ１及びフレーム維持段階Ｓ１において、画面上の第１番目のピクセルラインＩ１の充電又は維持開始時間と画面上の最後のピクセルラインＩ１２の充電又は維持開始時間との差は、標準充電時間の四分の一（ｔ／４）である。
１つの画面で４つのピクセルライン単位で充電を進めるので、最初ピクセルラインＩ１と最後のピクセルラインＩ１２間の充電開始時間との差は、一般的な場合より約四分の一に減少する。
【００９０】
また、予備フレーム充電段階Ｐ１、及びメインフレーム充電段階Ｍ１は、液晶セルの標準充電時間の四分の一（ｔ／４）であり、フレーム維持段階Ｓ１は液晶セルの標準充電時間の二分の一（ｔ／２）である。
従って、予備フレーム充電段階Ｐ１、メインフレーム充電段階Ｍ１、及びフレーム維持段階Ｓ１の合計は、該当液晶セルの一般的な標準充電時間「ｔ」と実質的に同一になる。
【００９１】
上述した通り、１フレーム内で最初のピクセルラインＩ１と最後のピクセルラインＩ１２の各段階の開始時間又は完了時間の差は、液晶セルの標準充電時間の四分の一（ｔ／４）であるので、各ピクセルライン間の遅延時間が非常に短縮されることになる。
従って、このような表示装置の駆動方法ではピクセル全体に同時的に光を供給するバックライトを用いることができる。
【００９２】
本実施形態に係る表示装置の駆動方法で、バックライトがピクセルライン全体に同時的にターンオンして光を供給する場合、画面上のピクセルラインのうち、第１番目のピクセルラインＩ１のフレーム維持段階Ｓ１を基準として第１ピクセルラインＩ１のフレーム維持段階Ｓ１が実行される時間内の間、バックライトをターンオンする。
【００９３】
図７を再び参照すると、第４比較例に係る表示装置の駆動方法では液晶パネルの周波数が低いので、他の実施形態に比べて少ない数の６つのピクセルラインを構成する。従って、画面には相対的により低い解像度の画面を表示できる。
図７は相対的に低い周波数の液晶パネルを用いるので、制限された解像度のイメージを表示する。このような画像の最初のピクセルラインＩ１の充電開始時点から最後のピクセルラインＩ６の充電開始時点までの時間は液晶セルの標準充電時間「ｔ」である。また、液晶が表示状態になると、有効充電状態でバックライトをターンオンしなければならないので、極めて制限された時間内だけバックライトがターンオンして、バックライトは必ず順次に駆動するバックライトを使わなければならない。
【００９４】
反面、図１５に示した本実施形態では同じ解像度の画面を４つのピクセルライン単位で画像を表示していて、フレーム維持段階Ｓ１は液晶セルの標準充電時間の半分（ｔ／２）ほども確保できるので、十分な期間の間、バックライトはターンオンして光を供給することができる。
また、最初のピクセルラインＩ１の充電及び維持開始時点から最後のピクセルラインＩ１２の充電及び維持開始時点までの時間の差が、標準液晶充電時間の四分の一（ｔ／４）にしかならないために、順次的な駆動をするバックライトを使わずとも画面に画像を表示することができる。また、バックライトの光供給期間がさらに長くなるので、画面の全体的な輝度も上昇させることができる。
【００９５】
図に示してはいないが、本発明の実施形態に係る表示装置の駆動方法は次のような段階で整理することができる。
本実施形態に係る表示装置の駆動方法は開始フレーム充電段階、修正フレーム充電段階を含む。
【００９６】
開始フレーム充電段階ではｎ個のピクセルラインを含むピクセルライングループに該当する液晶セルの電圧をｎ個のピクセルラインのうちの１つのピクセルラインのピクセルデータで同時に充電する。
また、修正フレーム充電段階ではｎ個のピクセルラインを含むピクセルライングループのうち、自身のピクセルデータで充電されたピクセルラインの液晶セルは電圧を維持し、自身のピクセルデータで充電されなかったピクセルラインの液晶セルは電圧を維持するピクセルラインを除いたグループのうち、選択された１つのピクセルラインのピクセルデータで同時に充電する。
開始フレーム充電段階は、ピクセルライングループ内でいくつかのピクセルラインの充電を同時に始める段階である。
このように予備的にピクセルライングループ内で一括的なデータでピクセルラインの液晶セルを予備充電する。その後、修正フレーム充電段階で各ピクセルラインを１つずつ自身のピクセルデータで充電する工程を繰り返して全てのピクセルラインで自身のピクセルデータで充電できる状態になることができるようにする。
【００９７】
修正フレーム充電段階は、ピクセルライングループに該当するピクセルラインの個数により変わることができる。
例えば、修正フレーム充電段階は、１フレーム当たり全部（ｎ−１）回繰り返すことができる。
開始フレーム充電段階及び修正フレーム充電段階は、それぞれ少なくとも液晶セルの標準充電時間のｎ分の１以下の時間の間、実行される。
開始フレーム充電段階及び修正フレーム充電段階が液晶セルの標準充電時間のｎ分の１以下の時間の間、実行される理由は、追加的にフレーム維持段階をさらに含むことができるためである。
【００９８】
本実施形態に係る表示装置の駆動方法は、全てのピクセルラインの液晶セルの電圧を維持するフレーム維持段階をさらに含むことができる。
フレーム維持段階は各ピクセルラインに該当する液晶セルが全部有効充電状態である段階であるので、フレーム維持段階の時間がより長いほどバックライトから光を供給されることのできる期間がさらに長くなり、従って、画面の全体的な輝度を上昇させることができる。
ピクセルラインを基準として、開始フレーム充電段階、修正フレーム充電段階、及びフレーム維持段階の進行時間の総合計は、液晶セルの標準充電時間と同一であることを特徴とする。
【００９９】
図１６は、本発明の第９の実施形態に係る表示装置の駆動方法を示す概念図である。
図１６を参照すると、表示装置の駆動方法は、フレーム充電−維持段階（Ｍ１’、Ｍ２’）及びフレーム維持段階Ｓ１を含む。
図１６では説明の便宜のために１つの画面に全部で１２個のピクセルラインが含まれることと仮定した。
【０１００】
フレーム充電−維持段階（Ｍ１’、Ｍ２’）ではｎ個のピクセルラインを含むピクセルライングループ中選択された１つのピクセルラインには該当するピクセルデータで充電して、他のピクセルラインの液晶セルは以前のフレームの電圧を維持する。
フレーム充電−維持段階（Ｍ１’、Ｍ２’）を便宜上、第１フレーム充電−維持段階Ｍ１’及び第２フレーム充電−維持段階Ｍ２’と仮定すると、第１フレーム充電−維持段階Ｍ１’において、第１ピクセルラインＩ１及び第２ピクセルラインＩ２に該当する液晶セルを調べると、第１ピクセルラインＩ１に該当する液晶セルは該当するピクセルデータで充電され、第２ピクセルラインＩ２に該当する液晶セルは既に充電されていた電圧を維持する。
同様の方法で第３、第５、第７、第９及び第１１ピクセルライン（Ｉ３、Ｉ５、Ｉ７、Ｉ９、Ｉ１１）は、それぞれに該当するピクセルデータで充電され、第４、第６、第８、第１０、第１２ピクセルライン（Ｉ４、Ｉ６、Ｉ８、Ｉ１０、Ｉ１２）は既存の充電された電圧を維持する。
【０１０１】
第２フレーム充電−維持段階Ｍ２’においては、第１フレーム充電−維持段階Ｍ１’とは逆に直前に該当するピクセルデータで電圧が充電された第１、第３、第５、第７、第９、及び第１１ピクセルライン（Ｉ１、Ｉ３、Ｉ５、Ｉ７、Ｉ９、Ｉ１１）では、現在充電された電圧を維持し、直前に電圧が維持された第２、第４、第６、第８、第１０、第１２ピクセルライン（Ｉ２、Ｉ４、Ｉ６、Ｉ８、Ｉ１０、Ｉ１２）は各ピクセルデータに該当する電圧で充電される。
【０１０２】
フレーム維持段階Ｓ１においては、全てのピクセルライン（Ｉ１、Ｉ２、Ｉ３、…、Ｉ１０、Ｉ１１、Ｉ１２）の液晶セルに充電された電圧が維持される。
フレーム充電−維持段階（Ｍ１’、Ｍ２’）はそれぞれ液晶セルの標準充電時間の半分（ｔ／２）の間、実行され、フレーム維持段階Ｓ１は液晶セルの標準充電時間「ｔ」の間、実行される。
フレーム充電−維持段階（Ｍ１’、Ｍ２’）において、画面上の第１番目のピクセルラインの充電開始時間と画面上の最後のピクセルラインの充電開始時間との差は、液晶セルの標準充電時間の半分（ｔ／２）である。
【０１０３】
本実施形態は、フレーム充電−維持段階（Ｍ１’、Ｍ２’）を除いては図１０に示した実施形態とその作用及び効果が同一である。
本実施形態ではフレーム維持段階Ｓ１の間、画面上の全ての液晶セルが該当するイメージで充電が完了した状態を維持することができる。
他の実施形態に比べて、画面上の全ての液晶セルが該当するイメージで充電が完了した状態を維持する期間をより長く確保することができるという長所がある。従って、バックライトの順次的な駆動方式を用いることなく画面全体に同時的に駆動される方式をさらに簡単に用いることができる。
【０１０４】
また、本実施形態では、一度に全てのピクセルラインを同時に充電する方式ではないので、同一ピクセルラインであるフレームから次のフレームへ渡る過程において、奇数番目ピクセルラインと偶数番目ピクセルラインとの間の充電開始時間の差がなくなる。
【０１０５】
図１７は、本発明の第１０の実施形態に係る表示装置の駆動方法を示す概念図である。
図１７に示した実施形態は、図１６に示した実施形態で１つのピクセルグループが３つのピクセルラインを含むことを除いては実質的に同一である。従って、重複する説明は省略する。
【０１０６】
図１７を参照すると、フレーム充電−維持段階（Ｍ１’、Ｍ２’、Ｍ３’）においては３つのピクセルラインを含むピクセルライングループのうちから選択された１つのピクセルラインには該当するピクセルデータで充電して、他のピクセルラインの液晶セルは電圧を維持する。
フレーム充電−維持段階（Ｍ１’、Ｍ２’、Ｍ３’）を便宜上、第１フレーム充電−維持段階Ｍ１’、第２フレーム充電−維持段階Ｍ２’及び第３フレーム充電−維持段階Ｍ３’と仮定すると、第１フレーム充電−維持段階Ｍ１’において、第１ピクセルラインＩ１、第２ピクセルラインＩ２及び第３ピクセルラインＩ３に該当する液晶セルを調べると、第１ピクセルラインＩ１に該当する液晶セルは該当するピクセルデータで充電され、第２及び第３ピクセルライン（Ｉ２、Ｉ３）に該当する液晶セルは既に充電されていた電圧を維持する。
同様の方法で、第４、第７及び第１０ピクセルライン（Ｉ４、Ｉ７、Ｉ１０）はそれぞれに該当するピクセルデータで充電し、第５、第６、第８、第９、第１１、第１２ピクセルライン（Ｉ５、Ｉ６、Ｉ８、Ｉ９、Ｉ１１、Ｉ１２）は、既存充電された電圧を維持する。
【０１０７】
第２フレーム充電−維持段階Ｍ２’においては、直前に該当するピクセルデータで電圧が充電されたピクセルラインである第１、第４、第７及び第１０ピクセルライン（Ｉ１、Ｉ４、Ｉ７、Ｉ１０）、及び、直前に電圧が維持されたピクセルラインである第３、第６、第９、及び第１２ピクセルライン（Ｉ３、Ｉ６、Ｉ９、Ｉ１２）は、現在充電された電圧を維持し、直前に電圧が維持されたピクセルラインのうち、第２、第５、第８、及び第１１ピクセルライン（Ｉ２、Ｉ５、Ｉ８、Ｉ１１）は各ピクセルデータに該当する電圧で充電される。
【０１０８】
第３フレーム充電−維持段階Ｍ３’においては、直前に該当するピクセルデータで電圧が充電されたピクセルラインである第２、第５、第８、及び第１１ピクセルライン（Ｉ２、Ｉ５、Ｉ８、Ｉ１１）、及び、直前に電圧が維持されたピクセルラインである第１、第４、第７、及び第１０ピクセルライン（Ｉ１、Ｉ４、Ｉ７、Ｉ１０）は、現在充電された電圧を維持し、直前に電圧が維持されたピクセルラインのうち、第３、第６、第９及び第１２ピクセルライン（Ｉ３、Ｉ６、Ｉ９、Ｉ１２）は、各ピクセルデータに該当する電圧で充電される。
【０１０９】
フレーム維持段階Ｓ１においては、全てのピクセルライン（Ｉ１、Ｉ２、Ｉ３、…、Ｉ１０、Ｉ１１、Ｉ１２）の液晶セルに充電された電圧が維持される。
フレーム充電−維持段階（Ｍ１’、Ｍ２’、Ｍ３’）はそれぞれ液晶セルの標準充電時間の四分の一（ｔ／４）間、実行され、フレーム維持段階Ｓ１は液晶セルの標準充電時間の四分の一（ｔ／４）間、実行される。
フレーム充電−維持段階（Ｍ１’、Ｍ２’、Ｍ３’）において、画面上の第１番目のピクセルラインの充電開始時間と画面上の最後のピクセルラインの充電開始時間との差は、液晶セルの標準充電時間の四分の一（ｔ／４）である。
【０１１０】
本実施形態は、フレーム充電−維持（Ｍ１’、Ｍ２’、Ｍ３’）を除いては図１２に示した実施形態とその作用及び効果が同一である。
本実施形態ではフレーム維持段階Ｓ１の間、画面上の全ての液晶セルが該当するイメージで充電が完了した状態を維持することができる。他の実施形態に比べて、画面上の全ての液晶セルが該当するイメージで充電が完了した状態を維持する期間をさらに長く確保することができるという長所がある。
従って、バックライトの順次的な駆動方法を用いることなく、画面全体に同時的に駆動される方式をさらに簡単に用いることができる。
【０１１１】
また、図１２の実施形態では１フレームの第１番目の予備フレーム充電段階において全てのピクセルラインが充電されるが、本実施形態では一部ピクセルラインは充電され、残りピクセルラインは以前のフレームのピクセルデータを維持するので、それぞれのピクセルラインには順次にピクセルデータが充電される効果が発生する。
【０１１２】
図１８は、本発明の第１１の実施形態に係る表示装置の駆動方法を示す概念図である。
図１８を参照すると、表示装置の駆動方法は、フレームブラック−充電−維持段階（ＰＢ１、ＢＭ１）、フレーム維持段階Ｓ１、及びフレームブラック画像段階Ｂ１を含む。
【０１１３】
フレームブラック−充電−維持段階（ＰＢ１、ＢＭ１）は、ｎ個のピクセルラインを含むピクセルライングループのうち、選択された１つのピクセルラインには該当するピクセルデータで充電し、他のピクセルラインの液晶セルのうち、充電された液晶セルは電圧を維持し、他のピクセルラインの液晶セルのうち、充電されなかった液晶セルはブラック画像に該当する電圧で充電される。
【０１１４】
具体的には、フレームブラック−充電−維持段階（ＰＢ１、ＢＭ１）を第１ブラック−充電−維持段階ＰＢ１、及び第２ブラック−充電−維持段階ＢＭ１と区分することができる。
第１ブラック−充電−維持段階ＰＢ１においては、２つのピクセルラインで形成されるグループのうちの１つのピクセル、即ち、第１、第３、第５、第７、第９、第１１ピクセルライン（Ｉ１、Ｉ３、Ｉ５、Ｉ７、Ｉ９、Ｉ１１）にはそれぞれのピクセルラインに該当するピクセルデータで充電され、２つのピクセルラインで形成されるグループのうち、他の１つのピクセル、即ち、第２、第４、第６、第８、第１０、第１２ピクセルライン（Ｉ２、Ｉ４、Ｉ６、Ｉ８、Ｉ１０、Ｉ１２）にはそれぞれブラック画像に該当する電圧で充電される。
【０１１５】
第２ブラック−充電−充電−維持段階ＢＭ１では、第１ブラック−充電−維持段階ＰＢ１において充電されたピクセルラインには充電された電圧を維持し、ブラック画像で充電されたピクセルラインにはそれぞれのピクセルラインに該当するピクセルデータで充電する。
即ち、第１、第３、第５、第７、第９、第１１ピクセルライン（Ｉ１、Ｉ３、Ｉ５、Ｉ７、Ｉ９、Ｉ１１）には充電された電圧をそのまま維持し、第２、第４、第６、第８、第１０、第１２ピクセルライン（Ｉ２、Ｉ４、Ｉ６、Ｉ８、Ｉ１０、Ｉ１２）にはそれぞれのピクセルラインに該当するピクセルデータで充電する。
【０１１６】
フレーム維持段階Ｓ１においては、全てのピクセルライン（Ｉ１、Ｉ２、Ｉ３、…、Ｉ１０、Ｉ１１、Ｉ１２）の液晶セルに充電された電圧が維持される。
また、ブラック画像段階Ｂ１においては、全てのピクセルライン（Ｉ１、Ｉ２、Ｉ３、…、Ｉ１０、Ｉ１１、Ｉ１２）の液晶セルにブラック画像に該当する電圧が充電される。
フレームブラック−充電−維持段階（ＰＢ１、ＢＭ１）はそれぞれ液晶セルの標準充電時間の四分の一（ｔ／４）の間、実行され、フレーム維持段階Ｓ１は、液晶セルの標準充電時間の四分の一（ｔ／４）の間、実行される。フレームブラック−充電−維持段階（ＰＢ１、ＢＭ１）において、画面上の第１番目のピクセルラインの充電開始時間と画面上の最後のピクセルラインの充電開始時間との差は、液晶セルの標準充電時間の四分の一（ｔ／４）である。
【０１１７】
図１９は、本発明の第１２の実施形態に係る表示装置の駆動方法を示す概念図である。
図１９に示した実施形態は、図１８に示した実施形態と１つのピクセルグループが３つのピクセルラインを含むことを除いては実質的に同一である。従って、重複する説明は省略する。
【０１１８】
図１９を参照すると、表示装置の駆動方法は、ブラック−充電−維持段階（ＰＢ１、ＰＢ２、ＰＢ３）、及び、ブラック画像段階Ｂ１を含む。
ブラック−充電−維持段階（ＰＢ１、ＰＢ２、ＰＢ３）は、ｎ個のピクセルラインを含むピクセルライングループのうちから選択された１つのピクセルラインには該当するピクセルデータで充電し、他のピクセルラインの液晶セルのうち充電された液晶セルは電圧を維持し、他のピクセルラインの液晶セルのうち、充電されなかった液晶セルはブラック画像に該当する電圧で充電される。
本実施形態では１つのピクセルグループが３つのピクセルラインを含んでいる。
【０１１９】
具体的には、ブラック−充電−維持段階（ＰＢ１、ＰＢ２、ＰＢ３）を第１ブラック−充電−維持段階ＰＢ１、第２ブラック−充電−維持段階ＰＢ２、及び第３ブラック−充電−維持段階ＰＢ３に区分することができる。
第１ブラック−充電−維持段階ＰＢ１においては、３つのピクセルラインで形成されるグループのうちの１つのピクセル、即ち、第１、第４、第７、第１０ピクセルライン（Ｉ１、Ｉ４、Ｉ７、Ｉ１０）にはそれぞれのピクセルラインに該当するピクセルデータで充電され、３つのピクセルラインで形成されるグループのうち、他のピクセル、即ち、第２、第３、第５、第６、第８、第９、第１１、第１２ピクセルライン（Ｉ２、Ｉ３、Ｉ５、Ｉ６、Ｉ８、Ｉ９、Ｉ１１、Ｉ１２）にはそれぞれブラック画像に該当する電圧で充電される。
【０１２０】
第２ブラック−充電−維持段階ＰＢ２においては、第１ブラック−充電−維持段階ＰＢ１において充電されたピクセルラインには充電された電圧を維持し、ブラック画像で充電されたピクセルラインのうちの１つにはそれぞれのピクセルラインに該当するピクセルデータで充電する。また、第１ブラック−充電−維持段階ＰＢ１でブラック画像に該当する電圧で充電された液晶セルには再びブラック画像に該当する電圧で充電するか又は充電された電圧を維持することになる。
即ち、第１、第４、第７、第１０ピクセルライン（Ｉ１、Ｉ４、Ｉ７、Ｉ１０）には充電された電圧をそのまま維持し、第２、第５、第８、第１１ピクセルライン（Ｉ２、Ｉ５、Ｉ８、Ｉ１１）にはそれぞれのピクセルラインに該当するピクセルデータで充電して、第３、第６、第９、第１２ピクセルライン（Ｉ３、Ｉ６、Ｉ９、Ｉ１２）にはブラック画像に該当するピクセルデータで再び充電するか又は既存のブラック画像で充電された状態を維持する。
【０１２１】
第３ブラック−充電−維持段階ＰＢ３においては、第１ブラック−充電−維持段階ＰＢ１及び第２ブラック−充電−維持段階ＰＢ２において充電されたピクセルラインには充電された電圧を維持し、ブラック画像で充電されたピクセルラインにはそれぞれのピクセルラインに該当するピクセルデータで充電する。
即ち、第１、第２、第４、第５、第７、第８、第１０、第１１ピクセルライン（Ｉ１、Ｉ２、Ｉ４、Ｉ５、Ｉ７、Ｉ８、Ｉ１０、Ｉ１１）には充電された電圧をそのまま維持し、第３、第６、第９、第１２ピクセルライン（Ｉ３、Ｉ６、Ｉ９、Ｉ１２）にはそれぞれのピクセルラインに該当するピクセルデータで充電する。
【０１２２】
ブラック画像段階Ｂ１では、全てのピクセルライン（Ｉ１、Ｉ２、Ｉ３、…、Ｉ１０、Ｉ１１、Ｉ１２）の液晶セルにブラック画像に該当する電圧が充電される。
フレームブラック−充電−維持段階（ＰＢ１、ＰＢ２、ＰＢ３）はそれぞれ液晶セルの標準充電時間の四分の一（ｔ／４）の間、実行され、ブラック画像段階Ｂ１は液晶セルの標準充電時間の四分の一（ｔ／４）の間、実行される。フレームブラック−充電−維持段階（ＰＢ１、ＰＢ２、ＰＢ３）において、画面上の第１番目のピクセルラインの充電開始時間と画面上の最後のピクセルラインの充電開始時間との差は、液晶セルの標準充電時間の四分の一（ｔ／４）である。
【０１２３】
図１８及び図１９の実施形態でのようにブラック画像段階をさらに含む場合、各フレーム当たり画面の間にブラック画像を挿入する効果を奏し、画面をさらに効果的に表示することができる。
また、各ピクセルラインに該当するピクセルデータで充電する以前状態ではブラック画像に該当するピクセルデータで充電して、１フレーム以前と以後にそれぞれブラック画像を挿入する効果を奏する。
【０１２４】
図２０は、本発明の第１３の実施形態に係る表示装置の駆動方法を示す概念図である。
図２０を参照すると、表示装置の駆動方法は、予備フレーム充電段階Ｐ１、メインフレーム充電段階（Ｍ１、Ｍ２）、及びブラック画像段階Ｂｖ１を含む。
図２０では説明の便宜のために１つの画面に全部で１２個のピクセルラインが含まれることと仮定した。既に、言及したことと同様に、１つの画面は普通千個以上のピクセルラインが構成され、場合によっては画面の高画質化のためにより多くの数のピクセルラインを１つの画面に含ませることができる。
特に、本実施形態に係る表示装置の駆動方法は、図１０の実施形態に係る表示装置の駆動方法と比較してブラック画像段階Ｂｖ１を含むことを除いては実質的に同一である。従って、重複する説明は省略する。
【０１２５】
予備フレーム充電段階Ｐ１では、第（２Ｎ−１）番目ピクセルラインに該当するピクセルデータで第（２Ｎ−１）番目ピクセルライン及び第２Ｎ番目ピクセルラインに該当する液晶セルの電圧を同時に充電する。
第１ピクセルラインＩ１及び第２ピクセルラインＩ２に該当する液晶セルは、第１ピクセルラインＩ１に該当するピクセルデータで同時に充電され、第３ピクセルラインＩ３及び第４ピクセルラインＩ４に該当する液晶セルは第３ピクセルラインＩ３に該当するピクセルデータで同時に充電される。
同様の方法で第５及び第６ピクセルライン（Ｉ５、Ｉ６）は第５ピクセルラインに該当するデータで、第７及び第８ピクセルライン（Ｉ７、Ｉ８）は第７ピクセルラインに該当するデータで、第９及び第１０ピクセルライン（Ｉ９、Ｉ１０）は第９ピクセルラインに該当するデータで、第１１及び第１２ピクセルライン（Ｉ１１、Ｉ１２）は第１１ピクセルラインに該当するデータで充電する。
【０１２６】
メインフレーム充電段階Ｍ１においては、第（２Ｎ−１）番目ピクセルラインに該当する液晶セルの電圧は維持し、第２Ｎ番目ピクセルラインに該当するピクセルデータで第２Ｎ番目ピクセルラインに該当する液晶セルの電圧を充電する。
メインフレーム充電段階Ｍ１においては、第１ピクセルラインＩ１、第３ピクセルラインＩ３、第５ピクセルラインＩ５、第７ピクセルラインＩ７、第９ピクセルラインＩ９、第１１ピクセルラインＩ１１に該当する液晶セルの充電状態は維持される。
メインフレーム充電段階Ｍ１においては、第２ピクセルラインＩ２に該当する液晶セルは第２ピクセルラインＩ２に該当するデータで充電され、第４ピクセルラインＩ４、第６ピクセルラインＩ６、第８ピクセルラインＩ８、第１０ピクセルラインＩ１０、及び第１２ピクセルラインＩ１２に該当する液晶セルは、それぞれ、データラインに対応する自身のデータで充電される。
【０１２７】
ブラック画像段階Ｂｖ１においては、全てのピクセルライン（Ｉ１、Ｉ２、Ｉ３、…、Ｉ１０、Ｉ１１、Ｉ１２）の液晶セルにブラック画像に該当する電圧が充電される。
ブラック画像段階Ｂｖ１は、画面上の第１番目のピクセルラインでの持続時間と画面上の最後のピクセルラインの持続時間をそれぞれ異なるように設定することができる。
例えば、第１番目のピクセルラインでのブラック画像段階Ｂｖ１は平均持続時間以下であり、最後のピクセルラインでのブラック画像段階Ｂｖ１２は平均持続時間以上であることができる。
また、ブラック画像段階Ｂｖ１の持続時間は第１番目のピクセルラインから徐々に増加して、最後のピクセルラインで最大の持続時間を有するように設定することもできる。
図２０を参照すると、第１番目のピクセルラインでのブラック画像段階Ｂｖ１の持続時間は次第に増加して最後のピクセルラインでのブラック画像段階Ｂｖ１２の持続時間は最大となっている。
【０１２８】
図２１は、本発明の第１４の実施形態に係る表示装置の駆動方法を示す概念図である。
図２１を参照すると、表示装置の駆動方法は、予備フレーム充電段階Ｐ１、メインフレーム充電段階Ｍ１、フレーム維持段階Ｓ１、及びブラック画像段階Ｂｖ１を含む。
図２１では説明の便宜のために１つの画面に全部で１２個のピクセルラインが含まれることと仮定した。既に、言及したことと同様に、１つの画面は普通千個以上のピクセルラインが構成され、場合によっては画面の高画質化のためにより多くの数のピクセルラインを１つの画面に含ませることができる。
特に、本実施形態に係る表示装置の駆動方法は、図２０の実施形態に係る表示装置の駆動方法と比較してメインフレーム充電段階の第２フレーム充電−維持段階Ｍ２がフレーム維持段階Ｓ１に代替されたのを除いては実質的に同一である。従って、重複する説明は省略する。
【０１２９】
予備フレーム充電段階Ｐ１においては、第（２Ｎ−１）番目ピクセルラインに該当するピクセルデータで第（２Ｎ−１）番目ピクセルライン及び第２Ｎ番目ピクセルラインに該当する液晶セルの電圧を同時に充電する。
第１ピクセルラインＩ１及び第２ピクセルラインＩ２に該当する液晶セルは、第１ピクセルラインＩ１に該当するピクセルデータで同時に充電され、第３ピクセルラインＩ３及び第４ピクセルラインＩ４に該当する液晶セルは第３ピクセルラインＩ３に該当するピクセルデータで同時に充電される。
同様の方法で第５及び第６ピクセルライン（Ｉ５、Ｉ６）は第５ピクセルラインに該当するデータで、第７及び第８ピクセルライン（Ｉ７、Ｉ８）は第７ピクセルラインに該当するデータで、第９及び第１０ピクセルライン（Ｉ９、Ｉ１０）は第９ピクセルラインに該当するデータで、第１１及び第１２ピクセルライン（Ｉ１１、Ｉ１２）は第１１ピクセルラインに該当するデータで充電する。
【０１３０】
メインフレーム充電段階Ｍ１では、第（２Ｎ−１）番目ピクセルラインに該当する液晶セルの電圧は維持し、第２Ｎ番目ピクセルラインに該当するピクセルデータで第２Ｎ番目ピクセルラインに該当する液晶セルの電圧を充電する。
メインフレーム充電段階Ｍ１においては、第１ピクセルラインＩ１、第３ピクセルラインＩ３、第５ピクセルラインＩ５、第７ピクセルラインＩ７、第９ピクセルラインＩ９、第１１ピクセルラインＩ１１に該当する液晶セルの充電状態は維持される。
メインフレーム充電段階Ｍ１においては、第２ピクセルラインＩ２に該当する液晶セルは第２ピクセルラインＩ２に該当するデータで充電され、第４ピクセルラインＩ４、第６ピクセルラインＩ６、第８ピクセルラインＩ８、第１０ピクセルラインＩ１０、及び第１２ピクセルラインＩ１２に該当する液晶セルは、それぞれ、データラインに対応する自身のデータで充電される。
【０１３１】
フレーム維持段階Ｓ１においては、全てのピクセルライン（Ｉ１、Ｉ２、Ｉ３、…、Ｉ１０、Ｉ１１、Ｉ１２）の液晶セルに充電された電圧が維持される。
フレーム維持段階Ｓ１の持続時間は第１番目のピクセルラインから徐々に減少して、最後のピクセルラインで最小の持続時間を有するように設定することができる。
【０１３２】
ブラック画像段階Ｂｖ１では、全てのピクセルライン（Ｉ１、Ｉ２、Ｉ３、…、Ｉ１０、Ｉ１１、Ｉ１２）の液晶セルにブラック画像に該当する電圧が充電される。
ブラック画像段階Ｂｖ１は画面上の第１番目のピクセルラインでの持続時間と画面上の最後のピクセルラインの持続時間をそれぞれ異なるように設定することができる。
例えば、第１番目のピクセルラインでのブラック画像段階Ｂｖ１は平均持続時間以下で、最後のピクセルラインでのブラック画像段階Ｂｖ１２は平均持続時間以上であることができる。
また、ブラック画像段階Ｂｖ１の持続時間は、第１番目のピクセルラインから徐々に増加して、最後のピクセルラインで最大の持続時間を有するように設定することができる。  
図２１を参照すると、第１番目のピクセルラインでのブラック画像段階Ｂｖ１の持続時間は次第に増加して最後のピクセルラインでのブラック画像段階Ｂｖ１２の持続時間は最大となっている。
【０１３３】
このような本発明の実施形態によると、少なくとも２つ以上のピクセルラインを同時に充電して１フレーム当たり発生するピクセルラインの遅延時間を液晶の標準充電時間の半分または１／４以下に減らすことができるため、垂直解像度の低下なしで３次元画像を表示することができる。
また、各フレームで液晶セルの充電が完了する有効充電期間が従来に比べて非常に大きくなるので、バックライトからの光供給時間をさらに長く駆動することができる。従って、画面の全体的な輝度を向上させることができる。
また、各フレームで液晶セルの充電が完了する有効充電期間が長くなる理由によって、既存高価な順次駆動用バックライトを用いる代わりに一括駆動用バックライトを用いられるようになることによって、製作費用を顕著に減少できるようになる。
【０１３４】
尚、本発明は、上述の実施例に限られるものではない。本発明の技術的範囲から逸脱しない範囲内で多様に変更実施することが可能である。
【産業上の利用可能性】
【０１３５】
本発明は、液晶表示装置、特に３次元画像を表示する表示装置等に好適に使用される。
【符号の説明】
【０１３６】
１００    液晶パネル
１１０、１２０    液晶セル
２００    バックライト
２１０    光源
２２０    光源基板
Ｉ１〜Ｉ１２    ピクセルライン
Ｐ１    予備フレーム充電段階
Ｍ１    メインフレーム充電段階
Ｐ１１    第１予備フレーム充電段階
Ｐ１２    第２予備フレーム充電段階
Ｓ１    フレーム維持段階
ｔ    液晶セルの標準充電時間
【図１】
2013222206.tif 000003
【図２】
2013222206.tif 000004
【図３】
2013222206.tif 000005
【図４】
2013222206.tif 000006
【図５】
2013222206.tif 000007
【図６】
2013222206.tif 000008
【図７】
2013222206.tif 000009
【図８】
2013222206.tif 000010
【図９】
2013222206.tif 000011
【図１０】
2013222206.tif 000012
【図１１】
2013222206.tif 000013
【図１２】
2013222206.tif 000014
【図１３】
2013222206.tif 000015
【図１４】
2013222206.tif 000016
【図１５】
2013222206.tif 000017
【図１６】
2013222206.tif 000018
【図１７】
2013222206.tif 000019
【図１８】
2013222206.tif 000020
【図１９】
2013222206.tif 000021
【図２０】
2013222206.tif 000022
【図２１】
2013222206.tif 000023